【事件の表示】
　特許第３４１５１１８号「弾球遊技機」の請求項１ないし８に係る特許に対する特許異議の申立てについて、次のとおり決定する。
【結　論】
　訂正を認める。
　特許第３４１５１１８号の請求項１ないし７に係る特許を維持する。
【理　由】
第１．手続の経緯
　特許第３４１５１１８号の請求項１ないし８に係る発明についての出願は、平成１２年１２月２１日に特許出願され、平成１５年４月４日にその発明について特許権の設定登録がなされ、その後、その特許について、異議申立人済藤隆義、榊原吉保、町田彬より特許異議の申立てがなされ、取消しの理由が通知され、その指定期間内である平成１６年７月１３日に訂正請求がなされたものである。
　
第２．訂正の適否についての判断
１．訂正の内容
ア．訂正事項ａ（下線部訂正箇所）
　特許明細書の特許請求の範囲の【請求項１】の記載について、「遊技球の入賞可能な入賞口が設けられた遊技盤と、払出用の遊技球を貯留する貯留タンクと、前記貯留タンクから遊技球を流下させる誘導樋と、前記誘導樋を流下してきた遊技球を球停止位置で一旦停止させ、前記入賞口への一の入賞球に対して予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段とを有する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する残球遊技球数が、前記単位賞品球数の整数倍のみとなるように構成されたことを特徴とする弾球遊技機。」とあるのを、「遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記複数の入賞口の少なくとも１つを特定入賞口とするとともに、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記特定入賞口に設定された単位賞品球数の整数倍のみとなるように前記誘導切替部より下流側の前記誘導樋長さ及び径、前記遊技球通路の長さ及び径、並びに前記球停止位置の設置位置が決定されたことを特徴とする弾球遊技機。」と訂正する。
　
イ．訂正事項ｂ
　特許明細書の特許請求の範囲について、【請求項２】を削除し、請求項３を請求項２に繰り上げて、その【請求項２】の記載を、「整数倍が１倍であることを特徴とする請求項１に記載の弾球遊技機。」と訂正する。
　
ウ．訂正事項ｃ
　特許明細書の特許請求の範囲について、請求項４を請求項３に繰り上げて、その【請求項３】の記載を、「整数倍が２倍以上であることを特徴とする請求項１に記載の弾球遊技機。」と訂正する。
　
エ．訂正事項ｄ
　特許明細書の特許請求の範囲について、請求項５を請求項４に繰り上げて、その【請求項４】の記載を、「遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記複数の入賞口毎に設定された単位賞品球数の公倍数のみとなるように前記誘導切替部より下流側の前記誘導樋長さ及び径、前記遊技球通路の長さ及び径、並びに前記球停止位置の設置位置が決定されたことを特徴とする弾球遊技機。」と訂正する。
　
オ．訂正事項ｅ
　特許明細書の特許請求の範囲について、請求項６を請求項５に繰り上げて、その【請求項５】の記載を、「公倍数が最小公倍数であることを特徴とする請求項４に記載の弾球遊技機。」と訂正する。
　
カ．訂正事項ｆ
　特許明細書の特許請求の範囲について、請求項７を請求項６に繰り上げて、その【請求項６】の記載を、「公倍数が最小公倍数の２倍以上であることを特徴とする請求項４に記載の弾球遊技機。」と訂正する。
　
キ．訂正事項ｇ
　特許明細書の特許請求の範囲について、請求項８を請求項７に繰り上げて、その【請求項７】の記載を、「賞球払出手段が貸球払出手段を兼ね、球貸条件が成立した場合には、前記賞球払出手段より遊技球を貸し出すことを特徴とする請求項１ないし６のいずれかに記載の弾球遊技機。」と訂正する。
　
ク．訂正事項ｈ
　特許明細書の段落番号【０００６】の記載を、「【課題を解決するための手段】すなわち、請求項１の発明は、遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記複数の入賞口の少なくとも１つを特定入賞口とするとともに、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記特定入賞口に設定された単位賞品球数の整数倍のみとなるように前記誘導切替部より下流側の前記誘導樋長さ及び径、前記遊技球通路の長さ及び径、並びに前記球停止位置の設置位置が決定されたことを特徴とする。」と訂正する。
　
ケ．訂正事項ｉ
　特許明細書の段落番号【０００７】の記載を削除する。　
　
コ．訂正事項ｊ
　特許明細書の段落番号【０００８】の記載を、「請求項２の発明は、請求項１において、整数倍が１倍であることを特徴とする。」と訂正する。
　
サ．訂正事項ｋ
　特許明細書の段落番号【０００９】の記載を、「請求項３の発明は、請求項１において、整数倍が２倍以上であることを特徴とする。」と訂正する。
　
シ．訂正事項ｌ
　特許明細書の段落番号【００１０】の記載を、「請求項４の発明は、遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記複数の入賞口毎に設定された単位賞品球数の公倍数のみとなるように前記誘導切替部より下流側の前記誘導樋長さ及び径、前記遊技球通路の長さ及び径、並びに前記球停止位置の設置位置が決定されたことを特徴とする。」と訂正する。
　
ス．訂正事項ｍ
　特許明細書の段落番号【００１１】の記載を、「請求項５の発明は、請求項４において、公倍数が最小公倍数であることを特徴とする。」と訂正する。
　
セ．訂正事項ｎ
　特許明細書の段落番号【００１２】の記載を、「請求項６の発明は、請求項４において、公倍数が最小公倍数の２倍以上であることを特徴とする。」と訂正する。
　
ソ．訂正事項ｏ
　特許明細書の段落番号【００１３】の記載を、「請求項７の発明は、請求項１ないし６のいずれかにおいて、賞球払出手段が貸球払出手段を兼ね、球貸条件が成立した場合には、前記賞球払出手段より遊技球を貸し出すことを特徴とする。」と訂正する。
　
タ．訂正事項ｐ
　特許明細書の段落番号【００３４】の記載を、「前記賞球払出装置（賞球払出手段）１４０は、図１１の上面図（ａ）、正面図（ｂ）、右側面図（ｃ）及び図１２に示すように、上端がケースレールの賞球払出誘導樋９５ａと通じ、下端が図示しない払出通路を介して遊技球払出口３８に通じる遊技球通路１５１を内部に有し、該遊技球通路１５１の途中を回動可能な賞球ストッパー１４７で開閉するようにされるとともに、払出遊技球の数を払出遊技球検出センサ１４５で検出するものであって、次の構成部品よりなる。すなわち、前記遊技球通路１５１の形成された賞球ケース本体１４１と、該賞球ケース本体１４１に蓋をするように組み合わされる賞球本体カバー１４４と、前記遊技球通路１５１の脇に設けられるフォトセンサ等からなる払出遊技球検出センサ１４５及びそのカバー１４６と、前記賞球ケース本体１４１及び賞球本体カバー１４４間に設けられる賞球ソレノイド１４２、賞球アーム１４３、賞球ストッパー１４７、賞球リンク１４８、賞球ストッパー軸１４９及び賞球リンク軸１５０等で構成されている。」と訂正する。
　
チ．訂正事項ｑ
　特許明細書の段落番号【００５５】の記載を、「【発明の効果】　以上図示し説明したように、請求項１に係る弾球遊技機によれば、遊技機メーカーにおける検査（特に払出装置動作検査）終了後や遊技店による故障メンテナンス時等で、遊技機内の遊技球を全て抜き出す必要がある場合において、遊技球の誘導切り替えによって誘導切替部より上流の遊技球が排出された後に、誘導切替部から賞球払出手段の球停止位置までの間に残存する残球遊技球が、複数の入賞口のうち予め決定された特定入賞口に対する単位賞品球数の整数倍のみとなるように前記誘導切替部より下流側の誘導樋長さ及び径、遊技球通路の長さ及び径、並びに前記球停止位置の設置位置が決定されているため、作業者が残存遊技球の抜き取りに際して、入賞口を間違える可能性が低くなるとともに、その後、入賞口に遊技球を強制的に入賞させて残存遊技球を排出させる際に、最後まで払出遊技球の不足が検出されず、エラーなく合理的に残存遊技球の抜き取り作業を行うことができる。」と訂正する。
　
ツ．訂正事項ｒ
　特許明細書の段落番号【００５６】の記載を削除する。
　
テ．訂正事項ｓ
　特許明細書の段落番号【００５７】の記載を、「さらに、請求項２に係る遊技機においては、残存遊技球数が、入賞口或いは特定入賞口に予め設定された単位賞品球数の１倍数のみとなるように構成されているため、１球の入賞で残存遊技球を全て抜き取ることができ、効率的に残存遊技球を排出させることができる。」と訂正する。
　
ト．訂正事項ｔ
　特許明細書の段落番号【００５８】の記載を、「また、請求項３に係る遊技機においては、残存遊技球数が、入賞口或いは特定入賞口に予め設定された単位賞品球数の２以上の整数倍のみとなるように構成されているため、多くの遊技球を誘導樋や賞球払出手段に貯留することができる。」と訂正する。
　
ナ．訂正事項ｕ
　特許明細書の段落番号【００５９】の記載を、「さらに、請求項４に係る遊技機においては、残存遊技球数が、複数設けられた入賞口毎に設定された単位賞品球数の公倍数のみとなるように誘導切替部より下流側の誘導樋長さ及び径、遊技球通路の長さ及び径、並びに球停止位置の設置位置が決定されているため、複数の入賞口のうち、どの入賞口に遊技球を入賞させて残存遊技球の排出を行っても、最後まで払出遊技球の不足が検出されず、より確実にエラーのない残存遊技球の抜き取り作業を行うことができる。」と訂正する。
　
ニ．訂正事項ｖ
　特許明細書の段落番号【００６０】の記載を、「さらに、請求項５に係る遊技機においては、残存遊技球数が、入賞口毎に設定された単位賞品球数の最小公倍数のみとなるように構成されているため、少ない作業で残存遊技球を全て抜き取ることができ、効率的に残存遊技球を排出させることができる。」と訂正する。
　
ヌ．訂正事項ｗ
　特許明細書の段落番号【００６１】の記載を、「また、請求項６に係る遊技機においては、残存遊技球数が、入賞口毎に設定された単位賞品球数の最小公倍数の２以上の整数倍のみとなるように構成されているため、多くの遊技球を誘導樋や賞球払出手段に貯留することができる。」と訂正する。
　
ネ．訂正事項ｘ
　特許明細書の段落番号【００６２】の記載を、「加えて、請求項７に係る遊技機においては、賞球払出装置が貸球払出装置を兼ねているため、球貸条件が成立した場合には、賞球払出手段（賞球払出装置）より遊技球を貸し出すことができるので、賞球払出装置と貸球払出装置を別々に設ける必要がない。そのため、残存遊技球の抜き取り時に、誘導切替部から賞球払出装置までの残存遊技球さえ排出すればよくなり、より効率的に残存遊技球の抜き取りを行うことができる。」と訂正する。
　
２．訂正の目的の適否、新規事項の有無及び拡張・変更の存否
（１）上記訂正事項ａは、請求項１において、
ア．遊技盤に設けられる入賞口が「複数」であることに限定し、
イ．賞球払出手段について、「誘導樋に連通する遊技球通路を有し、」球停止位置が「前記遊技球通路に設けた」ものであり、遊技球を「前記球停止位置を介して」「払い出すように構成され」たものであり、単位賞品球数が「入賞口毎に予め設定された」ものであることに限定し、
ウ．弾球遊技機が「前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する」ものであることに限定し、
エ．「残球遊技球数」を実施例の記載と整合させるために「残存遊技球数」と訂正し、
オ．「複数の入賞口の少なくとも１つを特定入賞口と」し、残存遊技球数の設定に関わる単位賞品球数が「前記特定入賞口に設定された」ものであることに限定し、
カ．残存遊技球数を単位賞品球数の整数倍のみとする構成について、「前記誘導切替部より下流側の前記誘導樋長さ及び径、前記遊技球通路の長さ及び径、並びに前記球停止位置の設置位置が決定された」ものであることに限定するものであるから、
上記訂正事項ａは、特許請求の範囲の減縮及び明りょうでない記載の釈明を目的とした明細書の訂正に該当する。
　そして、上記ア．は本件特許明細書の段落番号【００１５】及び【００１６】の記載、上記イ．は同【００２３】、【００３４】及び【００３６】の記載、上記オ．は同【請求項２】及び【００４７】の記載、上記カ．は同【００４７】の記載にそれぞれ基づくものであるから、新規事項の追加に該当しない。
　さらに、上記ウ．は同【０００２】ないし【０００４】、【００３４】、【００３６】及び【００３９】、並びに図面図１１の記載に基づくものである。
　払出遊技球検出センサについて、段落番号【００３６】に「賞球ストッパー１４７が回動して非突出状態となり、遊技球が払い出される。また同時に、払出遊技球検出センサ１４５によって払出遊技球のカウントを行う。」と記載され、図面図１１に記載された賞球ストッパー１４７及び払出遊技球検出センサ１４５の位置関係は、賞球ストッパー１４７の下流側に払出遊技球検出センサ１４５が位置するものと認められるので、本件特許明細書及び図面には、「賞球払出手段から前記球停止位置を介して払い出された払出遊技球の個数をカウントする払出遊技球検出センサ」が記載されていると認められる。
　また、エラー動作に関連して、段落番号【０００２】に「前記払出遊技球検出センサにおいて、払出遊技球の個数が不足している場合にはエラーとなり、エラー報知手段によりエラー報知したり、払出装置の動作を停止させたりして、球不足による弊害が波及しないように構成されている。」、同【０００４】に「払出遊技球検出センサによって払出遊技球の不足が検出されてエラーとなり、前記エラー動作が発生してしまう。このようなエラー動作が発生した場合、払出装置の停止状態を解除したり、払出装置を強制的に作動させたり、エラー状態を解除したりする等の面倒な作業が必要となり、球抜き作業に多大なる労力を費していた。」、同【００３９】に「賞球払出装置１４０及び貸球払出装置１６０の払出遊技球検出センサ１４５，１６５において、払出遊技球の個数が不足している場合にはエラーとなり、エラー報知手段によりエラー報知したり、払出装置の動作を停止させたりして、球不足による弊害が波及しないように構成されている。」との記載があり、エラー報知、払出装置の動作停止はエラー動作の例示として記載され、エラー動作の内容としては一般的にエラー発生時にエラーに対処するために自動的に行われる事項を含み、その内容を特に限定するものではないと認められるので、本件特許明細書には、「前記払出遊技球検出センサにより前記賞球払出手段から払い出される払出遊技球の個数の不足が検出された場合にはエラー動作が発生する弾球遊技機」が記載されていると認められる。
　よって、上記ウ．は新規事項の追加に該当しない。
　したがって、上記訂正事項ａは、新規事項の追加に該当せず、実質上特許請求の範囲を拡張し、又は変更するものではない。
　
（２）上記訂正事項ｂ及びｃは、請求項２を削除し、それに伴い請求項３及び４を請求項２及び３にそれぞれ繰り上げるとともに引用する請求項を訂正するものであるから、特許請求の範囲の減縮及び明りょうでない記載の釈明を目的とした明細書の訂正に該当し、新規事項の追加に該当せず、実質上特許請求の範囲を拡張し、又は変更するものではない。
　
（３）上記訂正事項ｄは、請求項２を削除することに伴い請求項５を請求項４に繰り上げるとともに独立項とし、上記訂正事項ａと同様の限定を加えるものであるから、特許請求の範囲の減縮及び明りょうでない記載の釈明を目的とした明細書の訂正に該当し、新規事項の追加に該当せず、実質上特許請求の範囲を拡張し、又は変更するものではない。
　
（４）上記訂正事項ｅないしｇは、請求項２を削除することに伴い請求項６〜８を請求項５〜７に繰り上げるとともに引用する請求項を訂正するものであるから、特許請求の範囲の減縮及び明りょうでない記載の釈明を目的とした明細書の訂正に該当し、新規事項の追加に該当せず、実質上特許請求の範囲を拡張し、又は変更するものではない。
　
（５）上記訂正事項ｈないしｏ及び上記訂正事項ｑないしｘは、上記訂正事項ａないしｇと整合を図るものであるから、明りょうでない記載の釈明を目的とした明細書の訂正に該当し、新規事項の追加に該当せず、実質上特許請求の範囲を拡張し、又は変更するものではない。
　
（６）上記訂正事項ｐは、用語の統一を図るものであるから、明りょうでない記載の釈明を目的とした明細書の訂正に該当し、新規事項の追加に該当せず、実質上特許請求の範囲を拡張し、又は変更するものではない。
　
３．むすび
　以上のとおりであるから、上記訂正は、特許法第１２０条の４第２項及び同条第３項において準用する特許法第１２６条第２項及び第３項の規定に適合するので、当該訂正を認める。
　
第３．特許異議の申立てについての判断
１．本件の請求項１ないし７に係る発明
　上記第２．で示したように上記訂正が認められるから、本件の請求項１ないし７に係る発明（以下、「本件発明１ないし７」という。）は、上記訂正に係る訂正明細書の特許請求の範囲の請求項１ないし７に記載された事項により特定される以下のとおりのものである。
　
【請求項１】　遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記複数の入賞口の少なくとも１つを特定入賞口とするとともに、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記特定入賞口に設定された単位賞品球数の整数倍のみとなるように前記誘導切替部より下流側の前記誘導樋長さ及び径、前記遊技球通路の長さ及び径、並びに前記球停止位置の設置位置が決定されたことを特徴とする弾球遊技機。
　
【請求項２】　整数倍が１倍であることを特徴とする請求項１に記載の弾球遊技機。
　
【請求項３】　整数倍が２倍以上であることを特徴とする請求項１に記載の弾球遊技機。
　
【請求項４】　遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記複数の入賞口毎に設定された単位賞品球数の公倍数のみとなるように前記誘導切替部より下流側の前記誘導樋長さ及び径、前記遊技球通路の長さ及び径、並びに前記球停止位置の設置位置が決定されたことを特徴とする弾球遊技機。
　
【請求項５】　公倍数が最小公倍数であることを特徴とする請求項４に記載の弾球遊技機。
　
【請求項６】　公倍数が最小公倍数の２倍以上であることを特徴とする請求項４に記載の弾球遊技機。
　
【請求項７】　賞球払出手段が貸球払出手段を兼ね、球貸条件が成立した場合には、前記賞球払出手段より遊技球を貸し出すことを特徴とする請求項１ないし６のいずれかに記載の弾球遊技機。
　
２．特許異議申立て理由の概要
（１）申立人・済藤隆義は、甲第１号証（特許第２５２１２４５号公報）及び甲第２号証（特許第２７６９６６５号公報又は特開２０００−１３５３６４号公報）を提出し、訂正前の本件特許の請求項１ないし７に係る発明は、当業者が甲第１号証に記載された発明に基いて、訂正前の本件特許の請求項８に係る発明は、当業者が甲第１及び２号証に記載された各発明に基いてそれぞれ容易に発明をすることができたものであるから、その特許は、特許法第２９条第２項の規定に違反してなされたものであり、また、訂正前の本件特許は、特許法第３６条第６項第１号及び第２号に規定する要件を満たしていない特許出願に対してなされたものであり、取り消されるべきものである、旨主張している。
　
（２）申立人・榊原吉保は、甲第１号証（特開２０００−３０８７４２号公報）、甲第２号証（特開平６−１４２３１２号公報）、甲第３号証（特開２０００−１６７１７０号公報）及び甲第４号証（特開平４−２６９９８５号公報）を提出し、訂正前の本件特許の請求項１ないし７に係る発明は、当業者が甲第１ないし３号証に記載された各発明に基いて、訂正前の本件特許の請求項８に係る発明は、当業者が甲第１ないし４号証に記載された各発明に基いてそれぞれ容易に発明をすることができたものであるから、その特許は、特許法第２９条第２項の規定に違反してなされたものであり、また、訂正前の本件特許は、特許法第３６条第６項第２号に規定する要件を満たしていない特許出願に対してなされたものであり、取り消されるべきものである、旨主張している。
　
（３）申立人・町田彬は、甲第１号証（特開平１０−８０５４６号公報）、甲第２号証（特開２０００−７０５００号公報）、甲第３号証（特開２０００−２４５９２６号公報）、甲第４号証（特開２０００−２５４３２５号公報）、甲第５号証（特開２０００−８４２０６号公報）及び甲第６号証（特開２００１−２５２４３９号公報）を提出し、訂正前の本件特許の請求項１ないし７に係る発明は、当業者が甲第１及び５号証に記載された各発明に基いて、訂正前の本件特許の請求項８に係る発明は、当業者が甲第１ないし５号証に記載された各発明に基いてそれぞれ容易に発明をすることができたものであるから、その特許は、特許法第２９条第２項の規定に違反してなされたものであり、また、訂正前の本件特許の請求項１ないし８に係る発明は、甲第６号証に記載された発明と同一であり、発明者及び出願人のいずれもが異なるものであるから、その特許は、特許法第２９条の２規定に違反してなされたものであり、取り消されるべきものである、旨主張している。
　
３．取消理由の概要
　当審が平成１６年５月１４日付けで通知した取消理由は、本件訂正前の請求項１ないし８に係る発明の特許は、特許法第３６条第６項第１号及び第２号の要件を満たしていない特許出願に対してなされたものであるから、いずれも取り消されるべきものであるというものである。
　
４．特許法第２９条第２項について
（１）刊行物記載の発明
刊行物ア：特許第２５２１２４５号公報
　　　　　（申立人・済藤隆義の提出した甲第１号証）
刊行物イ：特許第２７６９６６５号公報（同甲第２号証）
刊行物ウ：特開２０００−１３５３６４号公報
　　（申立人・済藤隆義の提出した特許異議申立書に記載された甲第２号証）
刊行物エ：特開２０００−３０８７４２号公報
　　　　　（申立人・榊原吉保の提出した甲第１号証）
刊行物オ：特開平６−１４２３１２号公報（同甲第２号証）
刊行物カ：特開２０００−１６７１７０号公報（同甲第３号証）
刊行物キ：特開平４−２６９９８５号公報（同甲第４号証）
刊行物ク：特開平１０−８０５４６号公報
　　　　　（申立人・町田彬の提出した甲第１号証）
刊行物ケ：特開２０００−７０５００号公報（同甲第２号証）
刊行物コ：特開２０００−２４５９２６号公報（同甲第３号証）
刊行物サ：特開２０００−２５４３２５号公報（同甲第４号証）
刊行物シ：特開２０００−８４２０６号公報（同甲第５号証）
　
ア．上記刊行物アには、次の事項が記載されている。
（ア−１）「【０００１】【産業上の利用分野】本発明は、弾球遊技機の賞球払い出し装置に関し、回転体の回転による払い出し動作中に球切れを検出した時には、その払い出し動作の終了後に、回転駆動手段を停止させるようにしたものである。」（第１ページ第２欄６〜１０行）
（ア−２）「【０００３】【発明が解決しようとする課題】この従来の賞球払い出し装置は、ソレノイドで開閉板を駆動して賞球貯留通路の払い出し口を開放する形式であるため、開閉板の開放前に導通スイッチが導通した状態であれば、常に所定数の賞球を払い出すことが可能である。即ち、ソレノイドで開閉板を駆動して払い出し口を開放し、この開閉板の上側にある所定数の賞球を一挙に落下させて払い出すようにしているので、開閉板を１回開閉する毎に所定数づつの賞球を確実に払い出すことができる。
【０００４】しかし、この賞球払い出し装置は、１回当たりの賞球の払い出し数が常に一定である上に、賞球の払い出しが間欠的になって、連続的な払い出しができない欠点がある。しかも、所定数づつの賞球を纏めて間欠的に払い出すため、払い出された賞球が落下する時の払い出し通路側に対する衝撃が大になり、払い出し通路側の耐久性が低下する等の欠点がある。
【０００５】一方、例えば実開平３−８０７７７号公報に記載さるように、外周に繰り出し凹部が形成された回転体を、賞球貯留通路の下側の賞球払い出し室に回転自在に設け、この回転体を回転駆動するモータ等の回転駆動手段を設けた回転払い出し方式の賞球払い出し手段を採用すれば、賞球貯留通路内の賞球を回転体の回転により所要数づつ繰り出して払い出すので、回転体の回転角度に応じて払い出し数を任意に設定できると共に、多数の賞球を払い出す場合には連続的に能率良く払い出すことができ、しかも連続的な払い出しであるため、払い出し通路側の衝撃を少なくすることが可能である。
【０００６】しかし、回転払い出し方式の賞球払い出し装置において、前述の導通スイッチ又はこれに近い球切れスイッチを設ければ、そのスイッチが賞球貯留通路内の球切れを検出した時には、回転体の回転を直ちに停止させることになる。従って、回転払い出し方式の場合には、賞球貯留通路内のスイッチから上側で球詰まりが発生して、スイッチが球切れ状態を検出すれば、回転体とスイッチとの間に、１回の払い出し動作による払い出し数分以上の賞球があっても、直ちに回転体が停止して賞球の払い出しを中断することになるので、１回の払い出し動作で払い出すべき所要数の賞球を最後まで完全に払い出すことができない欠点がある。
【０００８】本発明は、かかる従来の課題に鑑み、回転払い出し方式を採用するにも拘わらず、払い出し動作中に回転体の近傍で球詰まり等による球切れが生じても、本来払い出すべき所要数の賞球を全て確実に払い出すことができる弾球遊技機の賞球払い出し装置を提供することを目的とする。」（第２ページ第３欄第１１行〜第４欄第６行）
（ア−３）「【００１１】【実施例】・・・図２はカード式パチンコ機の正面図である。・・・前面枠2 にはガラス扉枠3 及び前面板4 が装着され、またその後側に遊技盤5 が着脱自在に装着されている。遊技盤5 の前面には、打球を案内するガイドレール6 が設けられる他、入賞領域を構成する入賞口7 や変動入賞装置8 及び可変表示装置9 、或いはアウト口10等が夫々配置されている。」（第２ページ第４欄第３８〜４７行）
（ア−４）「【００１５】27は賞球を貯留する賞球タンクで、裏セット板20の裏側の上部に装着されている。28は賞球タンク27に連通する賞球タンクレールで、賞球タンク27の下側で裏セット板20の上部に取付けられている。」（第３ページ第５欄第２６〜２９行）
（ア−５）「【００１６】33は賞球を所要数づつ払い出す賞球払い出し手段で、制御基板21の側方で裏セット板20に装着されている。賞球払い出し手段33は、賞球貯留通路34と賞球払い出し通路35とを左右に二列備えると共に、その各列の通路34,35 間に払い出し用の回転体36を備え、この回転体36を払い出しモータ（回転駆動手段）37により回転駆動するようになっている。賞球貯留通路34は上側の賞球タンクレール28に連通し、賞球払い出し通路35は下側の賞球案内通路38を経て前側の上皿11内に連通されている。」（第３ページ第５欄第１５〜４４行）
（ア−６）「【００２６】賞球貯留通路34の上端には、この通路34の賞球Ａによって押し上げられる感知アーム92が設けられている。感知アーム92は中間隔壁56とスイッチケース89の側壁との間の枢支ピン93により上下動自在に枢支されると共に、先端側の上面に孔94付きの突出部95と下降制限用のストッパー96とを有する。そして、球切れ確認スイッチ39は、感知アーム92が賞球Ａにより押し上げられて孔94が球切れ確認スイッチ39に対応した時にオンし、またストッパー96が賞球払い出しケース55の上面に当接した時に、突出部95が遮光してオフするようになっている。」（第４ページ第７欄第３１〜４１行）
（ア−７）「【００３５】一方、入賞球検出スイッチ52が入賞球を検出すると、払い出し異常判別手段102 に払い出し指令信号Ｓ3 が入り、賞球払い出し手段33の払い出しモータ37が所定角度だけ回転し、その出力軸67に固定された回転体36を図４のｂ矢印方向に回転させる。そして、賞球タンク27から賞球タンクレール28を経て賞球払い出し手段33の賞球貯留通路34に供給されてストックされている賞球Ａを回転体36の回転によって所要数づつ繰り出して払い出す。回転体36の回転により払い出された賞球は、賞球払い出し通路35から落下し、賞球案内通路38を経て上皿11へと供給されていく。以下、入賞球検出スイッチ52が入賞球を検出する毎に、賞球払い出し手段33の払い出しモータ37が作動し、回転体36を回転させて賞球Ａを順次払い出して行く。」（第４ページ第８欄第４９行〜第５ページ第９欄第１２行）
（ア−８）「【００２３】賞球貯留通路34を形成する通路壁58には、賞球払い出し室57の入口に対応するように賞球排出口69が下部側に開口状に設けられると共に、この賞球排出口69を開閉する開閉板70が設けられている。開閉板70は二列の賞球排出口69に跨がる大きさであって、上端の枢支ピン71により開閉自在に枢着され、また上端側にウェイト部72が、下端部の一側に突起73が夫々設けられている。突起73は賞球払い出しケース55の他方の側壁74に形成されたガイド孔75から外方に突出し、これに係合するロック板76により開閉板70が閉状態にロックされている。
【００２４】ロック板76は扇形状であって、突起73に係脱自在に係合すべく側壁74の枢支ピン77により枢支されている。ロック板76は下方に突出するアーム部78を有し、このアーム部78の下端の突起79と長孔80を介して開閉レバー81に連動連結されると共に、アーム部78と側壁74に固定のピン82との間に掛装された引張バネ83によりロック方向に付勢されている。開閉レバー81は側壁74に固定の枢支ピン85により回動自在に枢支され、操作部86を引張バネ83に抗して図３のａ矢印方向に操作した時に、ロック板76が突起73から外れて開閉板70が開くようになっている。」（第４ページ第７欄第１〜２２行）
（ア−９）「【請求項１】・・・賞球貯留通路(34)内の球切れを検出して払い出しを停止させるための球切れ確認スイッチ(39)を、回転体(36)と検出部位との間の賞球貯留通路(34)内に、少なくとも該回転体(36)の１回の払い出し動作による払い出し数分の賞球(A) が残るように回転体(36)から離間して設け、」（第１ページ第１欄第２〜１５行）
（ア−１０）「【００１７】・・・この球切れ確認スイッチ39は回転体36との間の賞球貯留通路34に、少なくとも１回の払い出し数分の賞球が残るように、回転体36から上側に離れて賞球貯留通路34の上端部に設けられ、賞球が切れた時にオフするようになっている。」（第３ページ第５欄第４５〜５０行）
（ア−１１）「【００４１】【発明の効果】本発明によれば、・・・設けているので、球切れ確認スイッチ39が賞球貯留通路34内の球切れを検出しても、その払い出し動作が終了するまでは回転駆動手段37が回転体36を駆動し続けて、球切れ確認スイッチ39から下側の賞球貯留通路34にある賞球Ａを払い出すことができる。
【００４２】従って、回転駆動手段37により回転体36を駆動して、この回転体36の回転により賞球貯留通路34の賞球Ａを払い出す回転払い出し方式を採用しているにも拘わらず、払い出し動作中に球切れ確認スイッチ39よりも上側での球詰まり等によって球切れが生じた場合でも、その払い出し動作によって本来払い出すべき所要数の賞球Ａを確実に払い出すことができる。
【００４３】しかも、回転体36との間に少なくとも１回の払い出し数分の賞球Ａが残る程度の位置に球切れ確認スイッチ39を設ければ良く、球切れ確認スイッチ39を回転体36から大きく離間させて配置する必要がないので、この球切れ確認スイッチ39から下側での球詰まり等は比較的容易に防止できる。このため、回転払い出し方式を採用しているにも拘わらず、球切れ確認スイッチ39から下側での球詰まり等による回転体36の空払い出し動作を確実に防止でき、前記効果と相俟って常に１回の払い出し動作で払い出すべき所要数の賞球Ａを確実に払い出すことが可能である。」（第５ページ第１０欄第１４〜４５行）
　
イ．上記刊行物イには、次の事項が記載されている。
（イ−１）「【００１３】この可変表示装置１４には、中央横一列と斜め対角線上とで合計３本の当りライン（組合せ有効列）が定められている。可変表示装置１４の停止時に３本の当り列のうち或る当り列上で特定の識別情報の組合せ（たとえば７７７）が揃った場合には大当りとなり、可変入賞球装置３のソレノイド５が励磁されて開閉板４が開成され、打玉が入賞しやすい遊技者にとって有利な第１の状態となる。」（第４ページ第７欄第３〜１０行）
（イ−２）「【００１５】この可変入賞球装置３内に入賞したパチンコ玉が特定入賞口（Ｖポケット）６に入賞すれば、その特定入賞玉が特定入賞玉検出スイッチ７により検出され、その検出出力に基づいて、可変入賞球装置３の第１の状態が終了した後再度開閉板４が開成されて第１の状態の繰返し継続制御が行なわれる。この繰返し継続制御の上限回数はたとえば１０回に定められている。この繰返し継続制御の回数がラッキーナンバー・回数表示ＬＥＤとしての７セグメント表示器１１により表示される。また、可変入賞球装置３の第２の状態としては、打玉が全く入賞しないのでなく打玉が入賞可能であるが入賞困難な状態であってもよい。」（第４ぺージ第７欄第２０〜３１行）
（イ−３）「【００４６】玉通路６４ａ，６４ｂのそれぞれには玉感知部材９２０ａ，９２０ｂが回動自在に設けられている。玉誘導レール６７からパチンコ玉が供給されていない状態では、玉感知部材６２０ａ，９２０ｂが図示時計回り方向に回動して破線で示す姿勢となり、この玉感知部材９２０ａ，９２０ｂの回動を検出するレール玉切れスイッチ６８ａ，６８ｂがＯＦＦとなる。一方、玉誘導レール６７からパチンコ玉が供給されれば、その供給されてきたパチンコ玉の自重により玉感知部材９２０ａ，９２０ｂが反時計回り方向に回動し、図示実線に示す姿勢となる。するとレール玉切れスイッチ６８ａ，６８ｂがＯＮとなる。この玉感知部材９２０ａ，９２０ｂから玉払出器６３までの間に所定個数（たとえば１５個）以上の玉が存在できるようになっている。すなわち、玉切れ検出装置（玉検知部材９２０ａ，９２０ｂ，レール玉切れスイッチ６８ａ，６８ｂ）による玉切れ検出位置と玉払出装置（玉払出機６３）との間に、入賞玉１個に対し前記玉払出装置が払出す最大個数（たとえば１５個）以上の玉数が存在するように構成されている。
【００４７】玉払出器６３の下方には金属カバー板５５が設けられている。この金属カバー板は、玉の流下を誘導するための起立壁部５５ａ，５５ｂが設けられており、玉払出器６３により払出されたパチンコ玉がこの起立壁部５５ａ，５５ｂに誘導されてスムーズに下方に落下するように構成されている。この金属カバー板５５にはアース線５６が取付けられており、玉払出器６３により払出された玉が帯電している場合には、その玉がカバー板５５に接触することによりアースされて除電される。図中、４１９ａ，４１９ｂは払出口、８０５ａ，８０５ｂは玉送り通路、８８０ａ，８８０ｂは玉通路部材、４１は開口、８０６は玉圧受け部材である。」（第８ページ第１５欄第１１〜４１行）
（イ−４）「【００４８】図５は、玉送り部材８００の回転軸に対し直交する方向から見た横断面図である。玉払出器６３の玉入口８８４ａ，８８４ｂにパチンコ玉を供給する玉通路部材８８０ａ，８８０ｂは、玉入口８８４ａ，８８４ｂの高さ位置に合わせた形状をしている。玉払出器６３の玉入口８８４ａ，８８４ｂの少し下方部分では、玉圧緩和部材８８５が設けられており、玉通路６４ａ，６４ｂを通って供給されてきたパチンコ玉の玉圧がこの玉圧緩和部材８８５の形状部分に加えられ、玉送り通路８０５ａ，８０５ｂに加えられるパチンコ玉の玉圧が緩和される。
【００４９】玉圧緩和部材８８５内には、空間８８６が形成されており、投光器８０２ａ，半回転検出センサ８０２ｂの配線がこの空間８８６を通して外部に引き出されるように構成されている。玉送り部材８００の端部には、１対の凸部８８７と切込部が設けられており、この１対の凸部８８７の間が切欠８１３となる。そして、この１対の凸部８８７の間に投光器８０２ａが位置するように設けられている。図５に示す状態では、投光器８０２ａから投光された光は凸部８８７に遮られて半回転検出センサ８０２ｂに検出されないように構成されている。そして、玉送り部材８００が図５に示す状態から４５度回転することにより投光器８０２ａから投光された光が１対の凸部８８７の間を通って半回転検出センサ８０２ｂに到達する状態となる。結局、玉送り部材８００が半回転するごとに半回転検出センサ８０２ｂが投光器８０２ａからの投光を受光する状態となる。図中９１５はカバーであり、５４は金属板、５５は金属カバー板、４０は機構板である。」（第８ページ第１５欄第４２行〜第１６欄第２０行）
　
ウ．上記刊行物ウには、次の事項が記載されている。
（ウ−１）「【００１３】図８は本発明の機構が搭載される部分を示すパチンコ機１の一部を断面により示した背面図である。前面枠22の背面には金属板で浅い箱型に形成した機枠板38が取付けてあり、遊技盤３はガラス枠25および上受皿10を開放して、前面側から図示しないロック装置により機枠板38と着脱可能になっている。機枠板38の背面には上タンク39、下タンク40、機構枠体41が取付けられており、この機構枠体41は図示しないヒンジにより機枠板38に着脱可能に取付けられている。この機構枠体41には賞品球の通路である誘導路42が設けられている。この誘導路42には上方部位から賞品球確認装置43、 賞品球および貸出球の排出防止装置44を含む賞品球排出装置45、そして、ストッパ機構46が設けられている。」（第３ページ第３欄第２２〜３４行）
（ウ−２）「【００１５】また、ストッパ機構46には賞品球および貸出球をカウントするための計数装置47が設けられており、誘導路42内を降下して上受皿10の払出口11に入る賞品球等の数を管理するようになっている。また、誘導路42の下部側に配設した計数装置47の上流側には球抜部材48が取付けられ、常に計数装置47側に図示しないロック装置によりロックされて、賞品球および貸出球の排出が行なえるようになっている。そして、遊技店の終了時等に上タンク39の遊技球を抜く場合は前記図示しないロック装置のロックを解除して球抜部材48を球抜き樋49側に揺動させて球抜きを行なうようにしている。誘導路42は上受皿10の払出口11への接続樋50と上受皿10のあふれ球が流下する下受皿流下樋51とに接続されている。」（第３ページ第３欄第４８行〜第４欄第１０行）
（ウ−３）「【００４６】図14に示すように、賞品球数が決定されるとS13 において賞品球排出用ソレノイド56（SOL1）を突出作動させる（図24(h) 参照）ことにより賞品球の流下を開始させるので、賞品球カウントスイッチ57（SW2)が賞品球のカウントを開始する（図24(i) 参照）。S14 では賞品球カウントスイッチ57（SW2)がONされたか否かが判定されONが検出されないと、ONが検出される迄待機し、ON が検出されると、S15 でＣＰＵに内蔵されている賞品球カウンタ(CN1) （図示せず）に「１」加算し、次のS16 では賞品球カウンタ（CN2)に「１」加算する。そして、S17 において賞品球カウンタ(CN1) の値がS12-5 で決定された賞品球数ｎと一致したか否が判定され、一致していない場合にはS14 〜S17 の処理が繰り返される。
【００４７】S17 において、賞品球カウンタ(CN1) の値が賞品球数ｎと一致したと判定されると、S18 で賞品球排出用ソレノイド56(SOL1)を吸引動作させること（図24(h)’参照）により賞品球の流下かを停止させ、次のS19 で賞品球カウンタ(CN1) クリアし、S20 では入賞カウント用ソレノイド90（SOL2）を吸引動作する（図24(c) ’参照) ことにより入賞球を機外に排出し、入賞音を停止、入賞ランプ７(L1)を消灯する。そして、S21 でBUSY信号をOFF （図24(b) ’参照）し、S1へ戻る。」（第７ページ第１１欄第３９行〜第１２欄第１１行）
（ウ−４）「【００４８】S1において、カードリーダライタ32から球貸し信号が入力された場合、図15に示すように、S23 へ進み、BUSY信号をONし、次のS24 で賞品球確認スイッチ55(SW1) のON状態がＴ秒継続しているがを判定し、継続していなければＴ秒の継続を待ってS25 へ進む。S25 では球貸し音を発生開始し、次のS26 で賞品球排出用ソレノイド56(SOL1)を突出動作させるので球の流下が開始され、賞品球カウントスイッチ57(Sw2) カウントを開始する。S27で賞品球カウントスイッチ57(Sw2) がONされたか否かが判定され、ON検出がない場合は、ON検出されるまで待機し、ON検出されるとS28 で賞品球カウンタ(CN3) に「１」が加算される。
【００４９】次のS29 ではその賞品球カウンタ(CN3) の値が「25（予め設定された１単位の貸球数）」に達したか否かが判定され、達していない場合にはS27 〜S29 の処理が繰り返される。「25」に達している場合、S30 に進み、賞品球排出用ソレノイド56(SOL1)を吸引動作することにより球の流出を停止させる。S31 では賞品球カウンタ(CN3) をクリアし、S32 で球貸し音を停止させ、S33 で管理コンピュータへの球貸し信号の出力処理を施し、S34 でBUSY信号をOFFシ、 球貸し処理が終了し、S1へ戻る。以後は上記の処理が繰り返される。」（第７ページ第１２欄第１２〜３３行）
　
エ．上記刊行物エには、次の事項が記載されている。
（エ−１）「【００２３】遊技領域に案内された遊技球は、盤面上に設けられた入賞口のいずれかに入賞するか、または、アウト口に入る。遊技球が入賞口に入賞すると、その入賞口によって予め定められた個数（例えば15個）の遊技球が内枠１裏側の裏セット機構板20（図２参照）に設けられた賞球払出装置から賞球通路を経て受け皿に払い出される。」（第３ページ第４欄第１８〜２４行）
（エ−２）「【００２７】また、機構板20の背面側には、その上部に賞球を貯留する球タンク22が設けられ、該球タンク22の下方に貯留された賞球を複数列(２列)整列して機構板20の一側に導くタンクレール25が設けられている。タンクレール25と連通する部分の球タンク22の底面には、賞球が載置しないことによって賞球の不足を検出する補給球切れスイッチ24が球タンク22内に設けられている。補給球切れスイッチ24は、外部接続端子板21の端子を介して管理コンピュータに球切れ情報を提供するものであり、補給球切れスイッチ24は、外部接続端子板21を介して枠飾り10に設けられた球切れランプを点灯させるものである。
【００２８】前記タンクレール25の下流側には、ヘアピン状に屈曲したカーブレール(図３の図番47参照)が接続されている。このカーブレールは、賞球を一列に整列して流下させる第１通路部材と第２通路部材とで構成され、第１通路部材と、第２通路部材は、平行に誘導し、ケースレール(図３の図番48参照)を経て賞球払出部の払出スクリュー34の上部に導くようになっている。
【００２９】すなわち、球タンク22の底の球出口からタンクレール25に流下した遊技球は２列に整列されながら球抜き装置部35内のカーブレール及びケースレールを経て球払出部(図５も参照のこと)へ送られる。」（第３ページ第４欄第４６行〜第４ページ第５欄第１８行）
（エ−３）「【００３０】球払出部(図５も参照の参照のこと)は、賞球払出モータ27により駆動される賞球払出スクリュー34と、払い出された遊技球を検出する賞球払出センサが設けられる。
【００３１】賞球払出モータ27は払出制御基板（図２の図番29参照）から送られてくる１ステップの払出制御信号で7.5度の回転動作を行なうため、24ステップの払出制御信号で180度の回転動作が行なわれる。賞球払出モータ27が180度の回転をするごとに２列のケースレール48内に整列された遊技球は賞球払出スクリュー34により１個ずつ交互に払い出される。その払い出された遊技球は各レール48に臨む賞球払出センサにより検出され、その信号は払出制御基板（図２の図番29参照）に送られる。」（第４ページ第５欄第１９〜３２行）
（エ−４）「【００３３】ここで本発明の遊技機の球抜き制御について説明する。図３は本発明の球抜き装置部35の拡大透視図である。図３において球抜き装置部35には上記したようにヘアピン状に屈曲したカーブレール47がタンクレール25の下流側に接続され、球抜き装置部35においてカーブレール47及びケースレール48に沿って遊技球が貯溜されるようになっている。そして空切り防止スイッチ41は、タンクレール25下端の球抜きクランク43に相対する位置に設けられた検知板42の後方に２列のケースレールそれぞれに対応して２個のスイッチが取り付けられている。」（第４ページ第５欄第４４行〜第６欄第４行）
（エ−５）「【００３５】上記したように通常、空切り防止スイッチ41は検知板42の作用により「OFF」状態に維持されており、図１の遊技機正面左側に設けられている球抜き穴11に球抜き棒（図示せず）を差し込むと、裏セット機構板20に取り付けられた裏球抜きレバー44が球抜き棒（図示せず）によって押され、カーブレール47と球抜き桶46の分岐位置にある球抜きクランク43をロックしている球抜きストッパ45が作動してロックが解除される。
【００３６】つまり球抜き棒(図示せず)の操作に始まる球抜きクランク43の回動により上流位置の遊技球が球抜きされると遊技球が無くなるので空切り防止スイッチ41のアクチュエータのバネ付勢力によって検知板42が押されて「ON」状態に変換する。空切り防止スイッチ41の「ON」状態の変換に伴って、検知板42は軸を中心に自重で落下して回動し、空切り防止スイッチ41の「ON」状態を確実なものとなる。」（第４ページ第６欄第１５〜３０行）
（エ−６）本発明のパチンコ機における球抜き装置部の拡大透視図である図３（ｂ）球抜き状態には、１２個の遊技球が図示されている。（第７ページ）
（エ−１）従来のパチンコ機における賞球払出部の構造を示す図である図５には、２本の通路と、各通路に５個または６個の遊技球が図示されている。（第８ページ）
　
オ．上記刊行物オには、次の事項が記載されている。
（オ−１）「【０００５】本発明は、かかる従来の課題に鑑み、賞球の球切れを極力賞球払出し手段の払出し部の近くで検出して、賞球の詰まり等による空払出し動作を防止すると共に、払出し部の払出し動作中に球切れが生じても、所要数の賞球を全て確実に払出し得るようにすることを目的とする。」（第２ページ第１欄第４９行〜第２欄第４行）
（オ−２）「【００１４】39は賞球供給通路34の賞球切れを確認する球切れ確認スイッチで、この球切れ確認スイッチ39は回転体36との間の賞球供給通路34に、少なくとも１回の払出し数分の賞球が残るように、回転体36から離れて賞球供給通路34の上端部に設けられ、賞球が切れた時にオフするようになっている。40は賞球払出し手段33からの賞球の払出しを検出する払出し検出スイッチで、賞球払出し通路35の下端部に設けられている。41は満杯検出スイッチで、下皿15の打球が満杯状態となった時に、作動片42を介してオンするようになっている。」（第３ページ第３欄第３６〜４５行）
（オ−３）「【００３６】このような実施例の構成によれば、球切れ確認スイッチ39が賞球払出し手段33の賞球供給通路34の上端部、つまり賞球Ａを払出す回転体36に極力近い部分にあるので、賞球タンク27側で球詰まりが発生しても、回転体36が空転して空払出し動作を続行することはない。また球切れ確認スイッチ39と回転体36との間の賞球供給通路34内には、少なくとも１回の払出し動作で払出す賞球数以上の賞球Ａがあり、払出し動作中に球切れが生じれば、その動作の終了後に払出しモータ37及び回転体36を停止させるので、球切れ発生時にも確実に所要数の賞球Ａを払い出すことができる。」（第５ページ第７欄第３０行〜第８欄第１行）
　
カ．上記刊行物カには、次の事項が記載されている。
（カ−１）「【００４２】流路変換樋１９における第１〜第３球流路３８ａ〜３８ｃの各流路の入口部分には、遊技球導入片３９を揺動可能に軸着してあり、誘導樋１８から供給される球が上下に重なることなく第１〜第３球流路３８ａ〜３８ｃへ導き入れられるようにしてあり、その適宜下流に設けた排出待機球検出手段２１は、非接触式の排出待機球検出器４０と、該排出待機球検出器４０に作用して排出待機球を検出させる作用部材４１とから構成してある。なお、この排出待機球検出器４０の検出信号は、球排出装置２０から排出可能な球の残量が予め定めた所定数以下になったことを検出し、賞球もしくは貸球の排出動作を規制するか否かの排出制御に供される。」（第６ページ第９欄第３２〜４３行）
（カ−２）「【００５３】すなわち、７個とか１５個といった数が１回の賞球数として採用されていることから、賞球排出専用の第１球排出ユニット２０ａによる排出待機球の残数を排出待機球検出手段２１によって検出する際には、１５個程度の待機球を見込める流路長が確保されれば良いのであるが、球貸可能な最低単位金額（例えば１００円）で貸し出される遊技球数は２５個といった比較的多い数が採用されていることから、貸球排出専用の第２球排出ユニット２０ｂによる排出待機球の残数を排出待機球検出手段２１によって検出する際には、２５個程度の待機球を見込める流路長が確保されていなければならないため、第１〜第３球排出路３８ａ〜３８ｃ内の排出待機球の検出を同一位置で行った後の流路長を調整したのである。」（第７ページ第１２欄第２８〜４１行）
　
キ．上記刊行物キには、次の事項が記載されている。
（キ−１）「【構成】パチンコ機１の正面側に配置される上皿に設けられる玉貸スイッチを操作することにより、カードユニット装置３０のカードユニット制御基板３７から賞品玉排出制御基板２８に貸玉排出要求信号が送られ、この要求信号に基づいて所定個数の貸玉が賞品玉排出装置２２によって排出され、賞品玉排出通路２７を通ってパチンコ機１の正面の上皿に排出される。」（第１ページ下欄第５〜１１行）
（キ−２）「【請求項１】・・・該玉貸スイッチの操作に基づいて前記賞品玉排出装置を駆動して貸球を排出するようにした」（第２ページ第１欄第２〜１３行）
（キ−３）「【０００５】・・・貸出された玉が自動的に賞品玉排出装置から遊技機の前面に設けられる上皿に排出される」（第２ページ第２欄第１１〜２２行）
　
ク．上記刊行物クには、次の事項が記載されている。
（ク−１）「【０００９】前記遊技盤６の表面には、前記発射レール２８から誘導された打玉を誘導するための誘導レール１０がほぼ円状に植立されている。そして、誘導レール１０によって囲まれた領域が遊技領域１１を構成するものである。」（第３ページ第３欄第１７〜２１行）
（ク−２）「そして、開閉扉１５内に設けられた特定入賞口１５ａに入賞すると、再度上記した開放状態を繰り返し、特定入賞口１５ａに入賞玉が発生する毎に最高１０回繰り返すことができるようになっている。
【００１０】また、前記可変表示装置１２の左右両側、及び可変入賞球装置１４の上部には、前記回転ドラム１３ａ〜１３ｃの回転を許容する始動入賞口１６ａ〜１６Ｃが設けられている。この始動入賞口１６ａ〜１６ｃのうち可変入賞球装置１４の上部に設けられる始動入賞口１６ａに打玉が入賞すると、それによって払出される景品玉数は、他の入賞領域に打玉が入賞した際に払出される景品玉数よりも少なくなるように設定されている。
【００１１】更に、遊技領域１１には、前記可変入賞球装置１４の左右側方に通常入賞口１７ａ，１７ｂが設けられ、また、可変入賞球装置１４の左右下方にも通常入賞口１８ａ，１８ｂが設けられている。」（第３ページ第３欄第３１〜４６行）
（ク−３）「なお、この実施形態では、後述するように、始動入賞口１６ａに打玉が入賞した場合には、７個の景品玉が払出され、他の入賞領域に打玉が入賞した場合には、１３個の景品玉が払出されるようになっている。もちろん、始動入賞口１６ａに入賞する確率に応じてこれらの払出される景品球数の設定を変えることは差し支えない。」（第３ページ第４欄第１６〜２０行）
（ク−４）「【００２０】一方、機構板本体４２の後面側の構成について説明すると、その上部に景品玉タンク取付凹部４５が形成され、該景品玉タンク取付凹部４５に景品玉タンク４６が螺着固定される。景品玉タンク４６は、図示しない補給機構から補給される景品玉を貯留するものであり、図７に示すようにその内部構造が景品玉タンク４６内に貯留された景品玉を一方向に向って流下するように構成されるとともに、その流下下端に方形状の流下開口４７が開設されている。」（第４ページ第６欄第９〜１７行）
（ク−５）「【００２１】景品玉タンク４６の下方には、景品玉を整列させるための第１の景品玉誘導樋４９と第２の景品玉誘導樋５０とが前後方向に重合して設けられている。この第１の景品玉誘導樋４９と第２の景品玉誘導樋５０とは、景品玉が自然流下するように傾斜して取り付けられる。」（第４ページ第６欄第２０〜２５行）
（ク−６）「【００３１】第１の景品玉誘導樋４９及び第２の景品玉誘導樋５０の下流側には、屈曲樋８３が接続されるように取り付けられている。この屈曲樋８３は、第１の景品玉誘導樋４９及び第２の景品玉誘導樋５０を流下してきた景品玉の流下方向を１８０度転換させるとともに、連続して流下している景品玉の玉圧を弱めるためにある。屈曲樋８３の屈曲部には、選択機構としての玉抜レバー８４が設けられ、パチンコ遊技機１の前面から押ピンで押圧することにより玉抜レバー８４の係合部（図示せず）と屈曲樋８３の構成壁との係合が外れて玉圧により玉抜レバー８４が開放し、景品玉タンク４６及び第１の景品玉誘導樋４９、第２の景品玉誘導樋５０に貯留されていた景品玉が後述する玉抜通路９０を流下してパチンコ遊技機１外へ排出されるようになっている。」（第６ページ第９欄第４３行〜第１０欄第６行）
（ク−７）「【００３３】また、屈曲樋８３の下流部には、ほぼ垂直状の垂直樋部８３ａが形成され、該垂直樋部８３ａの末端には、段差部８３ｂが形成されている。垂直樋部８３ａは、後述する景品玉収納筒９４ａ〜９４ｃに収納される景品玉数よりもやや多い数の景品玉が収納されるような長さに選ばれており、また、段差部８３ｂは、後述する景品玉ケース９２の上部玉ストッパー９６ａ，９６ｂがスムーズに動作するように玉圧を弱めるように作用しているものである。」（第６ページ第１０欄第３３〜４１行）
（ク−８）「【００３５】前記屈曲樋８３の下流側には、景品玉排出機構としての景品玉ケース９２が配置される。この景品玉ケース９２は、取付板９５と景品玉収納筒９４ａ〜９４ｃと上部玉ストッパー９６ａ，９６ｂと下部玉ストッパー９８ａ，９８ｂと上下摺動部材１０２ａ，１０２ｂとから成る。」（第７ページ第１１欄第７〜１２行）
（ク−９）「また、下部玉ストッパー９８ａ，９８ｂは、１つの支軸９９を中心にして揺動自在に設けられ、その上部に重錘の機能を兼用した当接ローラ１０１ａ，１０１ｂが設けられ、その下部に景品玉収納筒９４ａ〜９４ｃ内に出没するストッパー部１００ａ〜１００ｃが突設されている。そして、下部玉ストッパー９８ａ，９８ｂは、自重により常にストッパー部１００ａ〜１００ｃが景品玉収納筒９４ａ〜９４ｃに侵入するようになっているとともに、ストッパー部１００ａ〜１００ｃを段差状に突設することにより、景品玉収納筒９４ａ〜９４ｃへの上下方向の侵入位置を異ならせるようにしている。
【００３７】しかして、ストッパー部１００ａ，１００ｂは、下部玉ストッパー９８ａに突設されるとともに、景品玉収納筒９４ａ，９４ｂの出口を開閉するように作用し、ストッパー部１００ｃは、下部玉ストッパー９８ｂに突設されるとともに、景品玉収納筒９４ｃの出口を開閉するように作用する。なお、ストッパー部１００ａ〜１００ｃが突設される具体的な位置は、ストッパ−部１００ａが景品玉収納筒９４ａ内に６個の景品玉が収納されるような位置であり、ストッパ−部１００ｂ，１００ｃが景品玉収納筒９４ｂ，９４ｃ内に７個の景品玉が収納されるような位置である。」（第７ページ第１１欄第２５〜４７行）
（ク−１０）「下部玉ストッパー９８ａ，９８ｂがフリーな状態になると、景品玉収納筒９４ａ〜９４ｃ内に収納されていた景品玉の玉圧によりストッパー部１００ａ〜１００ｃが押圧されて回動し、景品玉収納筒９４ａ〜９４ｃ内に収納されていた景品玉が前記景品玉排出通路９１に払出される。」（第７ページ第１２欄第３０〜３５行）
（ク−１１）図面図１に第１実施形態に係る景品玉欠乏感知板の動作を示す概略図が記載されている。（第１５ページ）
（ク−１２）図面図３にパチンコ遊技機の正面図が記載されている。（第１５ページ）
（ク−１３）図面図４に遊技盤の裏面に取り付けられる入賞玉集合カバー体を示す背面概略図が記載されている。（第１５ページ）
（ク−１４）図面図５にパチンコ遊技機の背面図が記載されている。（第１６ページ）
（ク−１５）図面図７に景品玉タンク及び景品玉誘導樋の平面図が記載されている。（第１６ページ）
（ク−１６）図面図１１に景品玉ケースの斜視図が記載されている。（第１６ページ）
（ク−１７）図面図１３に景品玉ケース及び入賞玉処理機構の動作を示す背面概略図が記載されている。（第１８ページ）
（ク−１８）図面図１４に景品玉ケース及び入賞玉処理機構の動作を示す背面概略図が記載されている。（第１８ページ）
　
ケ．上記刊行物ケには、次の事項が記載されている。
（ケ−１）「【００２５】球排出ユニット３４は、球導出樋３３の球出口に接続して設けてあり、本願発明における球排出装置として機能する。この球排出ユニット３４は、排出制御装置４１によって動作が制御され、所要数の遊技球を賞球或いは貸し球として排出する。本実施形態における球排出ユニット３４は、賞球用の球流下路３６と貸し球用の球流下路３６とからなる２条の球流下路３６を備えている。」（第４ページ第６欄第２８〜３３行）
（ケ−２）図面図２にパチンコ遊技機の背面図が記載されている。（第１６ページ）
　
コ．上記刊行物コには、次の事項が記載されている。
（コ−１）「【請求項７】  前記賞品球払い出し手段(41)を貸し球の払い出し用に兼用し、前記規定払い出し個数を球貸し時の１回の払い出し動作により払い出す貸し球払い出し個数と同じにしたことを特徴とする請求項１〜６の何れかに記載の弾球遊技機。」（第２ページ第２欄第１〜５行）
（コ−２）「【００４４】賞品球払い出し手段41が１回の払い出し動作で賞品球を払い出す規定払い出し個数は、２５個に限定されるものではない。しかし、自動球貸し機からの球貸し要求により、賞品球払い出し手段41が貸し球の払い出しを兼用する場合には、例えば１００円当たりの遊技球の貸し出し個数である２５個に規定払い出し個数を設定することが望ましい。即ち、１回の払い出し動作で賞品球を払い出す規定払い出し個数を、球貸し時に１回の払い出し動作で貸し球を払い出す貸し球払い出し個数と同じにすることが望ましい。」（第５ページ第８欄第４３行〜第６ページ第９欄第２行）
（コ−３）図面図２に本発明の実施形態を示す弾球遊技機の背面図が記載されている。（第７ページ）
　
サ．上記刊行物サには、次の事項が記載されている。
（サ−１）「【００９２】すなわち、本実施形態においては、電気的制御装置１１０の役物制御部１１１と球排出装置制御部１１２とが協働することにより賞遊技媒体付与制御手段として機能するので、役物制御部１１１より排出制御信号が入力された場合に、球排出装置制御部１１２はセーフ球に基づく賞球排出を球排出装置２５に行わせて、成立した賞に対応する賞遊技媒体を遊技者に付与でき、玉貸制御装置１０６と電気的制御装置１１０の球排出装置制御部１１２が協働することにより貸出遊技媒体付与制御手段として機能するので、玉貸制御部１０８より玉貸信号が入力された場合に、球排出装置制御部１１２はプリペイドカードの使用に基づく玉貸用の球排出を球排出装置２５に行わせ、遊技者の貸出操作に基づく所定数の貸出遊技媒体を付与できる。これにより、当該パチンコ機１における唯一の球排出手段たる球排出装置２５によって、セーフ球に基づく賞球排出動作と玉貸信号に基づく玉貸用の球排出動作とを行うことができる。」（第１０ページ第１８欄第２５〜４１行）
（サ−２）図面図３にパチンコ機の裏面図が記載されている。（第１５ページ）
（サ−３）図面図８にパチンコ機の構成概略を示す機能ブロック図が記載されている。（第１８ページ）
　
シ．上記刊行物シには、次の事項が記載されている。
（シ−１）「【００１２】ガイドレール２９によって円形に囲われた遊技部１２ａには、可変表示装置３０や複数の入賞口３１…等が設けられている。」（第３ページ第３欄第４１〜４３行）
（シ−２）「【００１６】一方、球タンク４４の底壁４４ａには下向きにスカート片４８が垂設されている。このスカート片４８は、図９に示したように、球タンク４４の底壁４４ａと、該球タンク４４から供給される景品球を流す導出樋４９との間の隙間を塞ぐことによって、景品球が団子状になって球詰まりを起こす、というようなトラブルを防止するためのものである。」（第３ページ第４欄第３７〜４３行）
（シ−３）「【００２０】球抜口５２の下には球抜き樋５１が臨んでいて、球抜口５２から落下する景品球が全てこの球抜き樋５１に流れ込む。図１６はその球抜き樋５１の斜視図である。球抜き樋５１はカバー部５１ａを一体に有しており、該カバー部５１ａで前記ロック部材５６をすっぽりと覆う。また、球抜き樋５１の下端は機構板１３側の球抜き樋６２に連通しており、球抜口５２から入った景品球が機構板１３の球抜き樋６２を通ってパチンコ機設置島内に排出される。」（第４ページ第５欄第３２〜４０行）
（シ−４）「【００２５】上記上方弁６６と下方弁６７を制御する摺動子６８は、球通路６５の外側に設けたレール枠６９に沿って上下方向に摺動するもので、該レール枠６９に嵌まる基板７０と、その基板７０上に突設した上凸部７１及び下凸部７２とから構成される。摺動子６８は常態で図１８実線の下降位置にある。この下降位置にある状態で、摺動子６８の上凸部７１が上方弁６６の後端に係合して球通路６５の球入口を開放すると共に、下凸部７２が下方弁６７のローラ６７ｂに当接して下方弁６７の回動を阻止し、球止め爪６７ａを球通路６５内に突出させて景品球を球通路６５内にプールする。」（第４ページ第６欄第３９〜４９行）
（シ−５）図面図１にパチンコ機の正面図が記載されている。（第７ページ）
（シ−６）図面図２にパチンコ機の裏面図が記載されている。（第７ページ）
（シ−７）図面図１１に景品球放出関連部品の主要部を示す断面図が記載されている。（第１０ページ）
（シ−８）図面図１４に球抜き装置を拡大して示す断面図が記載されている。（第１１ページ）
（シ−９）図面図１８に景品球ケースを示す拡大した断面図が記載されている。（第１２ページ）
　
（２）対比・判断
ア．本件発明１について
　本件発明１と上記（１）に摘記した事項から把握される刊行物アないし刊行物シに記載された発明とを比較すると、刊行物アないし刊行物シに記載された発明は、少なくとも本件発明１を特定する事項のうち「前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記特定入賞口に設定された単位賞品球数の整数倍のみとなる」という構成（以下、「本件発明１特有の構成」という。）を備えておらず、上記構成は刊行物アないし刊行物シに記載された事項から自明であるとも、本件発明が出願された時点で周知であるということもできない。
　そして、本件発明１は、本件発明１特有の構成により明細書記載の「入賞口に遊技球を強制的に入賞させて残存遊技球を排出させる際に、最後まで払出遊技球の不足が検出されず、エラーなく合理的に残存遊技球の抜き取り作業を行うことができる」（訂正明細書段落【００５５】参照。）という顕著な効果を奏するものと認められる。
　したがって、本件発明１は刊行物アないし刊行物シに記載された発明に基づいて当業者が容易に発明できたものとすることができない。
　
イ．本件発明２及び３について
　本件発明２及び３は、本件発明１を特定する事項にさらに限定を加えたものに相当するから、上記ア．で説示したと同様の理由により、刊行物アないし刊行物シに記載された発明に基づいて当業者が容易に発明できたものとすることができない。
　
ウ．本件発明４について
　本件発明４と上記（１）に摘記した事項から把握される刊行物アないし刊行物シに記載された発明とを比較すると、刊行物アないし刊行物シに記載された発明は、少なくとも本件発明４を特定する事項のうち「前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、前記複数の入賞口毎に設定された単位賞品球数の公倍数のみとなる」という構成を備えておらず、上記構成は刊行物アないし刊行物シに記載された事項から自明であるとも、本件発明が出願された時点で周知であるということもできない。
　そして、本件発明４は、当該構成により明細書記載の「複数の入賞口のうち、どの入賞口に遊技球を入賞させて残存遊技球の排出を行っても、最後まで払出遊技球の不足が検出されず、より確実にエラーのない残存遊技球の抜き取り作業を行うことができる」（訂正明細書段落【００５９】参照。）という顕著な効果を奏するものと認められる。
　したがって、本件発明４は刊行物アないし刊行物シに記載された発明に基づいて当業者が容易に発明できたものとすることができない。
　
エ．本件発明５及び６について
　本件発明５及び６は、本件発明４を特定する事項にさらに限定を加えたものに相当するから、上記ウ．で説示したと同様の理由により、刊行物アないし刊行物シに記載された発明に基づいて当業者が容易に発明できたものとすることができない。
　
オ．本件発明７について
　本件発明７は、本件発明１又は４を特定する事項にさらに限定を加えたものに相当するから、上記ア．及びウ．で説示したと同様の理由により、刊行物アないし刊行物シに記載された発明に基づいて当業者が容易に発明できたものとすることができない。
　
（３）申立人の主張について
ア．申立人・済藤隆義の主張について
　申立人・済藤隆義は、その特許異議申立書第１５ページ第８〜１２行において、その甲第１号証（刊行物ア）の【００２６】にストッパー９６が記載されていることを根拠に、当該ストッパー２６を適用して遊技球を一旦停止させることは、当業者が必要に応じてできることにすぎない旨主張し、当該主張を前提として、同第１１ページ第８〜１８行、第１５ページ第２５行〜第１６ペ−ジ第１０行において、刊行物アの【請求項１】及び【００１７】の記載を根拠に、本件発明１特有の構成は、当業者の設計的事項である旨主張している。
　しかしながら、刊行物アの【００２６】の記載によれば、前記ストッパー９６は賞球Ａの存在を感知する感知アーム９２の上下動を規制するためのものであり、感知アーム９２が賞球Ａの移動を制限するものでもないので、前記ストッパー９６を適用して遊技球を一旦停止させようとする動機づけがあるとは認められず、かかる主張は根拠がない。
　
イ．申立人・榊原吉保の主張について
　申立人・榊原吉保は、その特許異議申立書第１４ページ第１９行〜第１６ページ第１７行において、本件特許明細書の記載を根拠に本件発明１が解決しようとする課題が本件出願前において公知である旨主張し、当該主張を前提として、本件発明１特有の構成は、その甲第１ないし３号証（刊行物エないしカ）に記載された発明に基づいて、当業者が容易に想到し得たものである旨主張している。
　しかしながら、本件特許明細書には、本件発明１が解決しようとする課題が本件出願前において公知である旨の記載はなく、当該課題が公知であることを示す証拠はないので、かかる主張は根拠がない。
　
ウ．申立人・町田彬の主張について
　申立人・町田彬は、その特許異議申立書第２９ページ第２６行〜第３１ページ第６行において、残存遊技球数を単位賞品球数よりも多くすることがその甲第１又は５号証（刊行物ク又はシ）に記載されていることを根拠に、本件発明１特有の構成は、技術の具体的適用に伴う設計変更に該当し、当業者の通常の創作能力の発揮の範囲内であって、格別な技術的困難性を有するものではなく、その奏する効果も刊行物ク又はシに記載の発明から当然に予測されるものである旨主張している。
　しかしながら、刊行物ク及びシには、入賞口に遊技球を強制的に入賞させて残存遊技球を抜き取る旨の記載はなく、どのような技術を適用する際の設計変更であるのかが不明であり、かかる主張は根拠がない。
　
５．特許法第２９条の２について
（１）先願明細書記載の発明
先願ス：特願２０００―６６０５７号（特開２００１−２５２４３９号）
　　　　（申立人・町田彬の提出した甲第６号証）
　上記先願スの願書に最初に添付した明細書及び図面（以下、「先願ス当初明細書」という。）には、次の事項が記載されている。
（ス−１）「【００２６】　次に、本実施例の遊技盤１０の表面構造の詳細を図２を参照して説明する。遊技盤１０は、略長方形の木製の板状体であって、後述する裏機構盤１０２（図３参照）により保持され、その表面に設けられた外レール１４と内レール１５とにより略円形状に形成される遊技領域１１内に、・・・左上入賞口１９、右上入賞口２０、左入賞口２１、右入賞口２２・・・等が配設されて、構成されている。」（公報第５ページ第７欄第２３〜３２行）
（ス−２）図面図２に遊技盤の正面図が記載されている。（公報第１１ページ）
（ス−３）「この機構盤１０２の上部の左側には、タンク球切れ検知スイッチ１０４をタンク底部に備えた賞球タンク１０５と、この賞球タンク１０５に接続されるタンクレール１０６とが取り付けられている。このタンクレール１０６は前記機構盤１０２の右側部分において下方へ方向変換され、賞球タンク１０５に貯留されている補給球を下方へ流下させる。」（公報第６ページ第９欄第４２〜４８行）
（ス−４）図面図３にパチンコ機の裏面概略図が記載されている。（公報第１２ページ）
（ス−５）図面図４にパチンコ機の一部切り欠き拡大平面図とその矢視図が記載されている。（公報第１３ページ）
（ス−６）「【００３９】　このタンクレール１０６の末端部分には補給球通路１１０が接続され、この補給球通路１１０は賞球・球貸し装置１１１に接続されている。」（公報第６ページ第１０欄第３３〜３５行）
（ス−７）「【００４２】　図９〜図１１には賞球・球貸し装置１１１の内部構造が例示されている。まず、図９に示すように、賞球・球貸し装置１１１は、ガイドレール２２３上を流下される賞球あるいは貸し球を受け止め、この賞球あるいは貸し球を１個宛払い出すカム２１０と、・・・とから構成されている。」（公報第７ページ第１１欄第３０〜４２行）
（ス−８）「【００５０】　そして、遊技盤１０上に配置されたいずれかの入賞口、例えば左上入賞口１９に遊技球を入れてその左上入賞口通過検知スイッチ１９ｓを通過させる。この検知信号に基づき１０個の賞球個数データが枠制御部１５０へ送信され、枠制御部１５０は賞球排出信号の送信により賞球・球貸し装置１１１を作動させる。・・・なお、左上入賞口１９の賞球個数は１０個であるので、上記作業を繰り返して補給球通路１１０及び賞球・球貸し装置１１１内に残る補給球Ｔを排出することになる（図６参照）。」（公報第８ページ第１３欄第４０行〜第１４欄第３行）
（ス−９）図面図９に賞球・玉貸し装置の説明図が記載されている。（公報第１２ページ）
（ス−１０）図面図１０に賞球・玉貸し装置の構造説明図が記載されている。（公報第１３ページ）
（ス−１１）図面図１１に賞球・玉貸し装置の矢視断面図が記載されている。（公報第１４ページ）
（ス−１２）「【００３７】　図４〜図８にその詳細を示すように、下方へ方向変換されたタンクレール１０６の左側には補給球切れ検出スイッチ１０７が設置されている。」（公報第６ページ第９欄第４９行〜第１０欄第１行）
（ス−１３）「【００３８】　この補給球切れ検出スイッチ１０７の直近下部には、・・・球抜きレバー１０９ｂを備えた球抜き装置１０９が設置されている。・・・そして、補給球Ｔをタンクレール１０６から排出しないときには球抜きレバー１０９ｂの前面壁部１０９ｃがタンクレール１０６と一体となる。また、補給球Ｔをタンクレール１０６から排出するときにはピン１０９ａ接点を枢支点として球抜きレバー１０９ｂが上方へ旋回することにより、その前面壁部１０９ｃがタンクレール１０６から離れて補給球Ｔが流下する出口となる。この出口を経た補給球Ｔは島設備（図示略）へ排出される。」（公報第６ページ第１０欄第１７〜３２行）
（ス−１４）図面図１に本発明の一実施例たるパチンコ機の正面図が記載されている。（公報第１２ページ）
（ス−１５）図面図５にパチンコ機裏面の作動説明図とその矢視図が記載されている。（公報第１３ページ）
（ス−１６）図面図６にパチンコ機裏面の作動説明図とその矢視図が記載されている。（公報第１４ページ）
（ス−１７）図面図７にパチンコ機裏面の作動説明図が記載されている。（公報第１４ページ）
（ス−１８）図面図８に振り分け装置の作動説明図が記載されている。（公報第１１ページ）
（ス−１９）「【００４７】　上述のパチンコ機１において、その裏面側の賞球タンク１０５、タンクレール１０６、補給球通路１１０及び賞球・球貸し装置１１１から全ての補給球Ｔを抜く場合がある。・・・【００４８】　この場合、図４（ａ）に示すように補給球Ｔはガイドレール１０６、補給球通路１１０及び賞球・球貸し装置１１１内にほぼ並列状態で残っている。まず、ピン１０９ａ接点を枢支点として球抜きレバー１０９ｂを上方へ旋回させて、その前面壁部１０９ｃをタンクレール１０６から離して補給球Ｔが流下する出口とする（図５参照）。したがって、賞球タンク１０５及びタンクレール１０６内に残っている補給球Ｔはこの出口から排出され、この出口を経た補給球Ｔは島設備へ排出される。」（公報第８ページ第１３欄第１〜１８行）
（ス−２０）「【００４９】　このため、補給球通路１１０及び賞球・球貸し装置１１１内に残っている補給球Ｔ（通常２５球とされている：貸し球１回分に相当）を排出するため、メンテナンスレバー１０８を作動させることになる。」（公報第８ページ第１３欄第２５〜２８行）
　
　上記記載事項（ス−１）ないし（ス−２０）、及び、弾球遊技機において遊戯中の入賞に対して払出賞品球の不足を検出した場合にエラー動作を発生することが周知技術であることから、先願ス当初明細書には、次の発明（以下、「先願ス発明」という。）が実質的に記載されているものと認められる。
「遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する残存遊技球数が、貸し球１回分に相当する２５球となるように前記誘導切替部より下流側の前記誘導樋長さ及び径、前記遊技球通路の長さ及び径、並びに前記球停止位置の設置位置が決定された弾球遊技機。」
　
（２）対比・判断
ア．本件発明１について
　本件発明１と先願ス発明とを対比すると、残存遊技球数が、本件発明１においては特定入賞口に設定された単位賞品球数の整数倍のみとなるように構成されているのに対し、先願ス発明においては貸し球１回分に相当する２５球となるように構成されている点において少なくとも両者の構成は相違する。
　そして、上記相違点における本件発明１が有する構成は、周知技術・慣用技術の付加・転換であるとは認められないので、本件発明１は先願ス発明と同一であるとすることができない。
　
イ．本件発明２及び３について
　本件発明２及び３は、本件発明１を特定する事項にさらに限定を加えたものに相当するから、上記ア．で説示したと同様の理由により、先願ス発明と同一であるとすることができない。
　
ウ．本件発明４について
　本件発明４と先願ス発明とを対比すると、残存遊技球数が、本件発明４においては複数の入賞口毎に設定された単位賞品球数の公倍数のみとなるように構成されているのに対し、先願ス発明においては貸し球１回分に相当する２５球となるように構成されている点において少なくとも両者の構成は相違する。
　そして、上記相違点における本件発明４が有する構成は、周知技術・慣用技術の付加・転換であるとは認められないので、本件発明４は先願ス発明と同一であるとすることができない。
　
エ．本件発明５及び６について
　本件発明５及び６は、本件発明４を特定する事項にさらに限定を加えたものに相当するから、上記ウ．で説示したと同様の理由により、先願ス発明と同一であるとすることができない。
　
オ．本件発明７について
　本件発明７は、本件発明１又は４を特定する事項にさらに限定を加えたものに相当するから、上記ア．及びウ．で説示したと同様の理由により、先願ス発明と同一であるとすることができない。
　
（３）申立人の主張について
ア．申立人・町田彬の主張について
　申立人・町田彬は、その特許異議申立書第４６ページ第２２行〜第４８ページ第９行において、その甲第６号証（先願ス当初明細書）の図４、５の記載を根拠に、先願ス当初明細書には、残存遊技球数を単位賞品球数である１０個の２倍である２０個とすることが開示されている旨主張している。
　しかしながら、図４、５には、２列の補給球通路１１０内の残存遊技球全てが図示されてはいない。そして、各列内の残存遊技球の位置は遊技球２分の１個分のずれがあるので、仮に一方の列における残存遊技球数が１０個であるとしても、他方の列における残存遊技球数は１１個である可能性があり、残存遊技球数が２０個であると断定することはできない。さらに、先願ス当初明細書には、残存遊技球数に関して、単位貸球数と同じ数とする旨の記載はある（上記摘記事項（ス−２０）参照）ものの、単位賞品球数との関係を表す記載は認められないので、上記図４、５に図示された残存遊技球の数が意図的に定められたものとも認められない。
　よって、上記申立人の主張は採用できない。
　
６．特許法第３６条第６項第１号及び第２号について
ア．各請求項にエラー動作を発生する点が含まれておらず、発明の詳細な説明に記載されたものではない点については、上記訂正事項ａ、ｄにより解消した。なお、賞球払出手段を停止させることはエラー動作の一例であると認められるので、請求項にエラー動作の内容として賞球払出手段の停止が記載されないことをもって、発明の詳細な説明に記載されたものではないとすることはできない。
　
イ．残存遊技球数を特定するための単位賞品球数と入賞口との関係が明確でない点については、上記訂正事項ａ、ｄにより解消した。
　
ウ．払出遊技球検出センサの位置が明確でない点については、上記訂正事項ａ、ｄにより解消した。
　
エ．空切り防止スイッチは、本件明細書の記載からはエラー動作を発生させるものとは認められないので、空切り防止スイッチが請求項に含まれていないために発明が不明確になっているとは認められない。
　
７．むすび
　以上のとおりであるから、特許異議の申立ての理由及び証拠によっては、本件発明１ないし７についての特許を取り消すことはできない。
　また、他に本件発明１ないし７についての特許を取り消すべき理由を発見しない。
　なお、申立人・町田彬が提出した平成１６年７月３０日付けの上申書を検討したが、上記結論に影響を与えない。
　よって、結論のとおり決定する。
【異議決定日】
平成１６年１０月１８日（２００４．１０．１８）
【訂正の要旨】
審決（決定）の【理由】欄参照。
（５４）【発明の名称】
弾球遊技機
（５７）【特許請求の範囲】
　【請求項１】　遊技球の入賞可能な
複数の
　払出用の遊技球を貯留する貯留タンクと、
　前記貯留タンクから遊技球を流下させる誘導樋と、
　
前記誘導樋に連通する遊技球通路を有し、
前記遊技球通路に設けた
前記球停止位置を介して遊技球を払い出すように構成され、
入賞口毎に
　前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、
　
前記賞球払出手段から前記球停止位置を介して払い出された払出遊技球の個数をカウントする払出遊技球検出センサとを有し、
　
前記払出遊技球検出センサにより前記賞球払出手段から払い出される払出遊技球の個数の不足が検出された場合にはエラー動作が発生する弾球遊技機において、
　
前記複数の入賞口の少なくとも１つを特定入賞口とするとともに、
存
前記特定入賞口に設定された
前記誘導切替部より下流側の前記誘導樋長さ及び径、前記遊技球通路の長さ及び径、並びに前記球停止位置の設置位置が決定された
　【請求項２】　整数倍が１倍であることを特徴とする請求項
１
　【請求項３】　整数倍が２倍以上であることを特徴とする請求項
１
　【請求項４】　
遊技球の入賞可能な複数の入賞口が設けられた遊技盤と、
　
払出用の遊技球を貯留する貯留タンクと、
　
前記貯留タンクから遊技球を流下させる誘導樋と、
　
前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、
　
前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、
　
前記賞球払出手段から前記球停止位置を介して払い出された払出遊技球の個数をカウントする払出遊技球検出センサとを有し、
　
前記払出遊技球検出センサにより前記賞球払出手段から払い出される払出遊技球の個数の不足が検出された場合にはエラー動作が発生する弾球遊技機において、
　
前記誘導切替手段により遊技球の誘導が球抜樋への誘導に切り替えられて誘導切替部より上流の遊技球が排出された際に、前記誘導切替部から賞球払出手段の球停止位置までの間に残存する
複数の
前記誘導切替部より下流側の前記誘導樋長さ及び径、前記遊技球通路の長さ及び径、並びに前記球停止位置の設置位置が決定された
　【請求項５】　公倍数が最小公倍数であることを特徴とする請求項
４
　【請求項６】　公倍数が最小公倍数の２倍以上であることを特徴とする請求項
４
　【請求項７】　賞球払出手段が貸球払出手段を兼ね、球貸条件が成立した場合には、前記賞球払出手段より遊技球を貸し出すことを特徴とする請求項１ないし
６
【発明の詳細な説明】
　【０００１】
　【発明の属する技術分野】
　本発明は、弾球遊技機に関し、特には遊技機内の遊技球を強制的に排出する構造を有する弾球遊技機に関するものである。
　【０００２】
　【従来の技術】
　従来、パチンコ遊技機等の弾球遊技機には、払出用の遊技球を貯留する貯留タンクから誘導樋を介して流下してきた遊技球を、賞球払出装置（賞球払出手段）の球停止位置で一旦停止させておき、遊技盤に設けられた入賞口に入賞球があると、入賞球の個数に応じた個数の賞品球を払い出す構造になっているものが多い。なお、前記入賞口においては、一の入賞球に対して払い出される遊技球の個数が単位賞品球数（単位払出球数とも称される。以下同じ。）として予め設定されている。また、賞品球の払出しに際して、前記払出装置には、払い出す遊技球をカウントする払出遊技球検出センサが設けられており、払出遊技球の個数が入賞口への入賞球数に応じた個数（単位賞品球数の整数倍）になると遊技球の払出しを停止するようになっている。さらに、前記払出遊技球検出センサにおいて、払出遊技球の個数が不足している場合にはエラーとなり、エラー報知手段によりエラー報知したり、払出装置の動作を停止させたりして、球不足による弊害が波及しないように構成されている。
　【０００３】
　また、このような弾球遊技機においては、遊技機メーカーにおける検査（特に払出装置動作検査）終了後や遊技店による故障メンテナンス時等に、遊技機内の遊技球を全て抜き出さねばならない場合がある。前記球抜き方法としては、払出装置より上流の誘導樋に誘導切替部を設け、誘導切替手段の操作で遊技球を前記誘導切替部から払出装置への誘導又は遊技機外へ連通する球抜樋への誘導に切り替えられるようにしておき、前記切り替えによって、誘導切替部より上流の遊技球を遊技機外に排出させるものが一般的である。ところで、前記誘導切替手段の操作では、誘導切替部から払出装置の球停止位置までの間に残存する遊技球（残存遊技球）によっては排出することができない。そのため、従来では、検査等の終了後に遊技盤を開けて入賞口に遊技球を強制的に入賞させて払出装置を作動させる等して、前記残存遊技球を単位入賞球数ずつ抜き取っている。
　【０００４】
　【発明が解決しようとする課題】
　しかしながら、このような従来の弾球遊技機においては、球抜き時に最後に抜き出される（払い出される）遊技球の数が前記単位賞品球数以下となった場合には、前述した払出遊技球検出センサによって払出遊技球の不足が検出されてエラーとなり、前記エラー動作が発生してしまう。このようなエラー動作が発生した場合、払出装置の停止状態を解除したり、払出装置を強制的に作動させたり、エラー状態を解除したりする等の面倒な作業が必要となり、球抜き作業に多大なる労力を費していた。
　【０００５】
　本発明はこのような状況に鑑みなされたもので、合理的に遊技機内の遊技球の抜き取りができる弾球遊技機を提供することを目的とする。
　【０００６】
　【課題を解決するための手段】
　すなわち、請求項１の発明は、遊技球の入賞可能な
複数の
前記誘導樋に連通する遊技球通路を有し、
前記遊技球通路に設けた
前記球停止位置を介して遊技球を払い出すように構成され、
入賞口毎に
前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記複数の入賞口の少なくとも１つを特定入賞口とするとともに、
存
前記特定入賞口に設定された
前記誘導切替部より下流側の前記誘導樋長さ及び径、前記遊技球通路の長さ及び径、並びに前記球停止位置の設置位置が決定された
　【０００７】
　【０００８】
　請求項
２
１
　【０００９】
　請求項
３
１
　【００１０】
　請求項
４
遊技球の入賞可能な複数の入賞口が設けられた遊技盤と、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、前記入賞口への一の入賞球に対して入賞口毎に予め設定された遊技球の払出個数を単位賞品球数として遊技球を払い出す賞球払出手段と、前記誘導樋を流下してきた遊技球を、前記賞球払出手段より上流の誘導樋に設けられた誘導切替部で、前記賞球払出手段への誘導又は誘導切替部より上流の遊技球を強制的に排出する球抜樋への誘導に切り替える誘導切替手段と、前記賞球払出手段から前記球停止位置を介して払い出された払出遊技球の個数をカウントする払出遊技球検出センサとを有し、前記払出遊技球検出センサにより前記賞球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から賞球払出手段の球停止位置までの間に残存する
複数の
前記誘導切替部より下流側の前記誘導樋長さ及び径、前記遊技球通路の長さ及び径、並びに前記球停止位置の設置位置が決定された
　【００１１】
　請求項
５
４
　【００１２】
　請求項
６
４
　【００１３】
　請求項
７
６
　【００１４】
　【発明の実施の形態】
　以下添付の図面に基づき本発明の好適な実施形態を説明する。図１は本発明の一実施例に係る遊技機全体の正面図、図２は同遊技機の遊技盤の正面図、図３は同遊技機の遊技盤の裏面図、図４は同遊技機の制御系を簡略に示すブロック図、図５は同遊技機全体の裏面図、図６は同遊技機の裏機構板を示す図、図７は裏機構における誘導切替部付近を示す図、図８は裏機構板に設けられるケースレールの分解斜視図、図９は誘導切替手段の構造を示す斜視図、図１０は誘導切替手段による球抜き時を示す図、図１１は賞球払出装置を示す図、図１２は賞球払出装置の分解斜視図、図１３は貸球払出装置を示す図、図１４は貸球払出装置の分解斜視図である。
　【００１５】
　図１ないし図４に示す弾球遊技機は、この発明の一実施例に係るパチンコ遊技機１である。このパチンコ遊技機１は、枠体２の内側に遊技盤３が着脱交換可能に収容されており、その遊技盤３の縁に遊技球の外側ガイドレール４及び内側ガイドレール５が略円形に立設され、前記内側ガイドレール５によって囲まれた遊技領域６に、遊技球の入賞可能な入賞口等が設けられている。この実施例では、前記遊技盤３の遊技領域６に、次に説明するような複数の入賞口が設けられている。
　【００１６】
　まず、遊技領域６の中心線上に設けられた表示装置９の下方に、上側第１種始動入賞口１０及び普通電動役物で可動片１１ａ，１１ｂを有する下側第１種始動入賞口１１、特別電動役物である大入賞口１５が配設されており、その下方にはアウト口１７が配設されている。また、上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞口１５の両側に左落とし入賞口２７と右落とし入賞口２９が配設されている。
　【００１７】
　また、前記遊技機１の前面側には、遊技状態を報知するランプ表示器３５、払い出された遊技球を受けるための上側球受け皿３６、該上側球受け皿３６の飽和時に遊技球を受けるための下側球受け皿３７、遊技者による操作ハンドル９２の発射操作に応じて遊技球を遊技領域６に向けて弾発発射する発射装置９１等がそれぞれ組み付けられている。
　【００１８】
　前記発射装置９１は、図１及び図４から理解されるように、操作レバー９２と、該操作レバー９２の操作により駆動する発射モータ９３と、該発射モータ９３の駆動により間欠的に揺動して遊技球を弾発発射する打球杆９４とを有している。前記発射装置９１により発射された発射球は、前記遊技盤面に立設された外側誘導レール４と内側誘導レール５間で構成される発射球誘導路を介して遊技領域６に誘導されるようになっている。前記発射球誘導路により遊技領域６に誘導された遊技球は、転動しつつ下方へ落下し、前記各入賞口に入賞するか、或いは何処にも入賞しなければ前記アウト口１７から遊技盤３の裏側へ排出されるように構成される。
　【００１９】
　なお、図中の表示装置９に関し符号４１は数字，アルファベット，記号或いは絵（キャラクタ）等の図柄を変動表示及び停止表示（最終的に確定停止表示する前の仮停止表示を含む、以下同じ）可能な普通図柄表示装置、４３は同じく特別図柄表示装置、４５は普通図柄表示装置４１の７セグメントＬＥＤ等からなる普通図柄表示部、４７はＬＥＤ等からなる普通図柄変動数記憶表示器、４９は表示装置９の窓枠部、５０は特別図柄表示装置４３の液晶表示器（ＴＦＴ−ＬＣＤモジュール）等からなる画像表示部、５１はＬＥＤ等からなる特別図柄変動数記憶表示器である。この実施例の前記画像表示部５０の表示画面は、横に並ぶ３つの表示領域に分割されており、各表示領域で判定結果表示用の特別図柄がそれぞれ変動表示及び停止表示可能とされている。また、前記画像表示部５０には、前記特別図柄に加えて背景画像（キャラクタ，背景，文字等を含む。）が表示されることもあり、該背景画像が特別図柄の変動開始等の所定条件に起因して変動表示可能となっている場合もある。
　【００２０】
　さらに、大入賞口１５に関し符号６１は開閉板、６３は特定領域入賞口であり、また、符号３８は上側球受け皿３６に遊技球を払い出す遊技球払出口である。なお、前記特別図柄表示装置４３については、画像表示部５０が前記したように液晶表示器に限られるものではなく、ＬＥＤ、ＥＬ、ＣＲＴやその他発光体で構成されていてもよい。
　【００２１】
　前記遊技盤３の背面（裏面）には、入賞口への遊技球の入賞を検出する検出スイッチ等が設けられている。この実施例では、図３に示すように、検出スイッチが各入賞口に対してそれぞれ設けられている。例えば、前記左袖入賞口２３と右袖入賞口２５の入賞球を検出する左袖入賞口用検出スイッチ７８と右袖入賞口用検出スイッチ７９、前記左落とし入賞口２７と右落とし入賞口２９の入賞球を検出する左落とし入賞口用検出スイッチ８１と右落とし入賞口用スイッチ８２が、それぞれ対応する遊技盤背面に設けられている。
　【００２２】
　また、前記第１種始動入賞口１０，１１に入賞した球を検出する特別図柄変動開始スイッチ（始動入賞口センサ）５５ａ，５５ｂが入賞球用通路に設けられており、該入賞球の検出によって前記特別図柄表示装置４３の図柄変動を開始するようになっている。さらに、前記遊技盤３の大入賞口１５の背面側には、前記特定領域入賞口６３への入賞球を検出する特定入賞球検出スイッチ（特定領域センサ）６５が設けられ、該入賞球の検出により大入賞口１５を再度開ける継続権利が成立するようにされている。また、大入賞口１５内の略中央には、前記大入賞口１５に入賞し、かつ前記特定領域入賞口６３に入賞しなかった入賞球を検出する入賞球数カウントスイッチ（カウントセンサ）６７が設けられている。
　【００２３】
　前記各入賞口への遊技球の入賞を各検出スイッチが検出すると、後述する賞球払出装置（賞球払出手段）１４０によって、入賞球数に応じた所定数の賞品球が払い出されるようになっている。各入賞口には、一の入賞球に対して払い出される遊技球数が単位賞品球数（単位払球数）として設定されており、一入賞球毎に単位賞品球数を払い出す、又は一定時間の入賞球数に応じて単位賞品球数の整数倍の遊技球を払い出すようになっている。また、この実施例では、入賞口の種類によって２種類の異なる単位賞品球数が設定されている。具体的には、大入賞口１５への入賞球に対しては、一入賞球あたり１４球の単位賞品遊球数、その他の入賞口への入賞球に対しては、一入賞球あたり７球の単位賞品球数が設定されている。
　【００２４】
　なお、各入賞口に設定される単位賞品球数の種類としては、前記したような２種類に限らず、１種類、又は３種類以上の単位賞品球数が設定されていてもよい。また、単位賞品球数の球数も適宜でよい。さらに、この実施例では、前記のように各入賞口のそれぞれに検出スイッチを設けているが、この発明の弾球遊技機はこれに限られるものではない。例えば、各入賞口の入賞球を１箇所に集めて検出し、その入賞球の累積計算を行うようにしてもよい。
　【００２５】
　前記した検出スイッチの他に遊技盤背面に設けられているものとしては、前記下側第１種始動入賞口１１の可動片１１ａ，１１ｂを開閉する第１種始動入賞口用ソレノイド５３と、前記大入賞口１５の開閉板６１を開閉する大入賞口ソレノイド５９、前記特定領域入賞口６３の開閉扉（図示せず）を所定条件時に開閉するための特定領域開放用ソレノイド６４、前記普通図柄変動開始用左ゲート１９及び普通図柄変動開始用右ゲート２１を通過する遊技球を検出する普通図柄変動開始スイッチ５６，５７等がある。
　【００２６】
　なお、該普通図柄変動開始スイッチ５６，５７で両ゲート１９，２１を通過する遊技球を検出することによって、前記普通図柄表示装置４１の図柄変動を開始させるようになっている。そして、前記普通図柄表示装置４１の普通図柄表示部４５において図柄変動した後に確定表示された図柄が予め設定されている特定の図柄であった場合には、小当たり（普通図柄当たり）となり、前記下側第１種始動入賞口１１のの可動片１１ａ，１１ｂの拡開開放を所定時間行うようになっている。
　【００２７】
　前記大入賞口１５の作動について説明すれば、前記第１種始動入賞口１０，１１に遊技球が入賞し、特別図柄変動開始スイッチ５５ａ，５５ｂによって入賞球が検出されると、前記特別図柄表示装置４３の画像表示部５０の各表示領域で特別図柄の変動を開始する。そして、所定時間変動後、予め設定された順で特別図柄が変動停止して、停止図柄の組合せが確定表示される。なお、図柄変動パターン等によっては、特別図柄の確定表示以前に、いわゆるリーチ状態となったり、いわゆるリーチ予告、当たり予告等が行われたりすることがある。
　【００２８】
　そして、前記確定表示された停止図柄の組合せが、予め決められた特定の大当たり図柄組合せ、例えば、同一図柄の組合せからなる通称ぞろ目であると、大当たり状態（特別遊技状態）に移行する。大当たり状態になると、前記大入賞口１５の開閉板６１が開いて遊技領域６表面を落下してくる遊技球を受け止め、大入賞口１５内へ入賞可能にし、該大入賞口１５への入賞があると、前記したように所定数の遊技球が賞品球として払い出される。
　【００２９】
　前記普通図柄表示装置４１及び特別図柄表示装置４３における図柄変動の制御は、図４に示す主制御回路１２１及び該回路１２１と前記表示装置９とを接続する表示制御回路１２５によって行われる。なお、図４中の符号１４０は後述する賞球払出装置（賞球払出手段）、１６０は同じく後述する貸球払出装置である。
　【００３０】
　前記主制御回路（主制御基板）１２１は、ＣＰＵ，ＲＡＭ，ＲＯＭ，複数のカウンタを備えたコンピュータと、該コンピュータと表示制御回路１２５等を結ぶ入出力回路と、前記コンピュータと大入賞口１５に接続される中継回路等を結ぶ入出力回路等で構成される。前記ＣＰＵは、制御部，演算部，各種カウンタ，各種レジスタ，各種フラグ等を備え、演算制御を行う他、大当たりの発生確率や小当たり（下側第１種始動入賞口１１の拡開開放を行う普通図柄当たり）の発生確率を定める乱数等も生成している。また、前記ＲＡＭは、特別図柄変動開始スイッチ５５ａ，５５ｂの検出信号及び普通図柄変動開始スイッチ５６，５７の検出信号用の記憶領域，ＣＰＵで生成される各種乱数値用の記憶領域，各種データを一時的に記憶する記憶領域やフラグ，ＣＰＵの作業領域を備えている。さらに、前記ＲＯＭには、遊技上の制御プログラムや制御データが書き込まれている他、大当たり及び小当たりの判定値等が書き込まれている。
　【００３１】
　また、前記表示制御回路１２５は、ＣＰＵ，ＲＡＭ，ＲＯＭを備えたコンピュータと、該コンピュータと前記主制御回路１２１を結ぶ入力回路と、前記コンピュータと普通図柄表示装置４１及び特別図柄表示装置４３を結ぶ出力回路等で構成される。前記ＣＰＵは、内部に制御部，演算部，各種カウンタ，各種レジスタ，各種フラグ等を有し演算制御を行うようになっている。また、前記ＲＡＭは、各種データの記憶領域と前記ＣＰＵによる作業領域等を有している。さらに、前記ＲＯＭには、前記画像表示部５０への表示データや各種表示プログラム等の図柄データが書き込まれている。
　【００３２】
　前記遊技機１の裏側には、図５に示すような裏機構を備えており、払出用の遊技球を溜める貯留タンク１０１、誘導樋９５、賞球払出装置（賞球払出手段）１４０、貸球払出装置１６０、払出制御基板（払出制御回路）１１８等が配設された裏機構板１００を有している。なお、図５中の符号１０３は枠用外部出力端子、１０４は枠用外部出力端子基板、１０５は枠飾りランプ中継基板、１０６は受電基板、１０７は空切り防止スイッチ（球切れ検知スイッチ）、１０８は空切り防止スイッチ基板（球切れ検知スイッチ基板）、１０９は盤面用外部出力端子、１１０は盤面用外部出力基板、１１１は中央カバー、１１２は音声制御基板、１１３はフォト分配基板、１１４は電源基板、１１５はランプ制御基板、１１６はエラー表示部、１１７はミドルプレート、１１９は発射装置制御基板、１２０は下基板ベース、１２１は主制御基板、１２２はカードインターフェイス接続部、１２３，１２４は電源プラグである。
　【００３３】
　前記裏機構のうち、特に遊技球の払出しに関して、図６ないし１４を用いて説明する。図６の裏機構板１００に示すように、弾球遊技機の設置島から供給された払出用の遊技球は、まず、裏機構板１００に配設されている遊技球の貯留タンク１０１に貯留される。貯留タンク１０１には誘導樋９５と連通する連通口が設けられており、遊技球が誘導樋９５に流れるようになっている。誘導樋９５は、前記貯留タンク１０１から流れてきた遊技球を賞球払出装置（賞球払出手段）１４０及び貸球払出装置１６０に誘導するものであり、この実施例では、貯留タンク１０１の連通口に一端が接続されるタンクレール１０２と、該タンクレール１０２の他端に一端が接続されて他端が賞球払出装置１４０及び貸球払出装置１６０に至るケースレール１３０との２部材で構成されている。また、この実施例の誘導樋９５は、遊技球を効率よく誘導できるように、タンクレール１０２内部分では、平行に配列された３列の樋で構成されており、各列の樋内で遊技球が１列になってケースレール１３０へ流下するようになっている。そして、この実施例では、前記３列の誘導樋９５は、ケースレール内１３０で１列の賞球払出用誘導樋９５ａと２列の貸球払出用誘導樋９５ｂとに振り分けられている。なお、誘導樋９５はタンクレール１０２とケースレール１３０の２部材からなっていなくてもよく、１部材又は３部材以上からなっていてもよい。タンクレール１０２及びケースレール１３０を流下してきた遊技球は、後述する誘導切替部９６の上を通り、空切り防止スイッチ１０７を経て、賞球払出装置（賞球払出手段）１４０又は貸球払出装置１６０に達する。
　【００３４】
　前記賞球払出装置（賞球払出手段）１４０は、図１１の上面図（ａ）、正面図（ｂ）、右側面図（ｃ）及び図１２に示すように、上端がケースレールの賞球払出誘導樋９５ａと通じ、下端が図示しない払出通路を介して遊技球払出口３８に通じる遊技球通路１５１を内部に有し、該遊技球通路１５１の途中を回動可能な賞球ストッパー１４７で開閉するようにされるとともに、払出遊技球の数を払出遊技球検出
センサ
センサ
　【００３５】
　この例の賞球ソレノイド１４２は、伸縮可能な作動部材１４２ａを下向きにして配置され、その作動部材１４２ａに賞球アーム１４３が係止されている。前記賞球ストッパー１４７は、賞球ストッパー軸１４９によって賞球ケース本体１４１に回動可能に取り付けられ、その回動によって先端の爪１４７ａが前記遊技球通路１５１途中の開口１５１ａから遊技球通路１５１に対し進入（突出）及び退避（非突出）可能とされている。また、前記賞球リンク１４８は、前記賞球ストッパー１４７の一部と係合する係合ピン１４８ａと、前記賞球アーム１４３と係合する係合凹部１４８ｂを有するものであって、前記賞球リンク軸１５０によって回動可能に賞球ケース本体１４２に軸着され、この賞球アーム１４３の回動によって前記賞球ストッパー１４７が回動するようになっている。
　【００３６】
　賞球払出装置１４０における具体的な作動について述べる。前記賞球払出用誘導樋９５ａから賞球払出装置１４０の遊技球通路１５１に入った遊技球は、図１１の（ｂ）図に示すように、遊技球通路１５１内へ突出状態となっている賞球ストッパー１４７によって、一旦、賞球払出装置１４０の球停止位置で停止する。なお、ここでは、賞球ストッパー１４７の突出部分が賞球払出装置１４０における球停止位置となっている。ここで、前記遊技盤３に設けられた各入賞口に遊技球の入賞があったことを検出スイッチが検出すると、前記払出制御回路１１８から信号が出されて賞球ソレノイド１４２が作動し、賞球ストッパー１４７が回動して非突出状態となり、遊技球が払い出される。また同時に、払出遊技球検出センサ１４５によって払出遊技球のカウントを行う。そして、前記したように単位賞品球数（又は単位賞品球数の整数倍）に達すると、再び、賞球ソレノイド１４２の作動によって賞球ストッパー１４７が回動して遊技球通路１５１内に突出して遊技球の払出しを止める。なお、払い出された遊技球（賞品球）は、前記遊技球払出口３８から上側球受け皿３６に供給される。
　【００３７】
　前記貸球払出装置１６０は、図１３の上面図（ａ）、正面図（ｂ）、右側面図（ｃ）及び図１４に示すように、球貸ケース本体１６１、球貸スクリュー１６２を有する球貸モーター１６３、球貸本体カバー１６４、払出遊技球検出センサ（ここではフォトセンサ）１６５、球貸ケース軸受１６６、球貸ケース軸受カバー１６７等で構成されている。前記貸球払出装置１６０は、球貸モーター１６３が作動することによって、球貸スクリュー１６２が回転するようになっており、貸球払出用誘導樋９５ｂから貸球払出装置１６０に入って球貸スクリュー１６２の羽部分に乗った遊技球が徐々に下方へ移動して、球払出口（図示せず）から遊技球が払い出されるようになっている。
　【００３８】
　そして、遊技者が現金を投入したり、ボタン等の操作を行ったりするなどによって、球貸条件が成立した場合には、前記払出制御回路１１８から信号が出されて前記球貸モーター１６３を作動し、遊技球が払い出されるようになっている。また同時に、払出遊技球検出センサ１６５が作動し、払出遊技球のカウントを行い、所定数に達すると、球貸モーター１６３を停止して遊技球の払出しを止めるようになっている。払い出された遊技球（貸球）は、前記遊技球払出口３８から上側球受け皿３６に供給される。
　【００３９】
　なお、前記賞球払出装置１４０及び貸球払出装置１６０の払出遊技球検出センサ１４５，１６５において、払出遊技球の個数が不足している場合にはエラーとなり、エラー報知手段によりエラー報知したり、払出装置の動作を停止させたりして、球不足による弊害が波及しないように構成されている。また、前記賞球払出装置１４０及び貸球払出装置１６０は、この実施例で記載したものに限らず、適宜の構造のものを使用すればよい。例えば、ここでは払出遊技球検出スイッチとしてフォトセンサを使用しているが、近接スイッチ等の他の検出手段を使用してもよい。
　【００４０】
　次に、遊技機メーカーにおける検査（特に払出装置動作検査）終了後や遊技店による故障メンテナンス時等に、遊技機内の遊技球を全て抜き出す際の作動について、図６ないし１０を用いて説明する。この遊技機１は、前記誘導樋９５を流下してきた遊技球を、前記賞球払出装置（賞球払出手段）１４０及び貸球払出装置１６０等への誘導と、後述する球抜樋１３４への誘導とに切り替える誘導切替手段１３１が前記レールケース１３０に設けられている。
　【００４１】
　この実施例のケースレール１３０について、図７の正面図、図８の分解図、図９の誘導切り替手段の主要部斜視図及び図１０の正面図を用いて説明する。前記ケースレール１３０は、ケースレール本体１３０ａと、第１仕切部材１３０ｂと、第２仕切部材１３０ｃと、ケースレール本体カバー１３０ｄとよりなり、ケースレール１３０内部が、誘導樋９５及び球抜樋１３４に区画形成されている。前記ケースレール１３０内の誘導樋９５は第１仕切部材１３０ｂ及び第２仕切部材１３０ｃで仕切られた３列とされ、該ケースレール１３０内における誘導樋９５の途中に形成された誘導切替部９６より下流位置で１列の賞球払出用誘導等９５ａと２列の貸球払出用誘導樋９５ｂに振り分けられている。
　【００４２】
　前記誘導切替部９６は、ケースレール１３０における誘導樋９５途中の傾斜が緩やかな部分に設けられ、該傾斜が緩やかな部分下面に形成された球抜用開口９７を有し、該球抜用開口９７を通った遊技球を球抜用開口９７直下の球抜樋１３４へ誘導するようになっている。なお、この実施例では、前記誘導切替部９６における第１仕切部材１３０ｂ及び第２仕切部材１３０ｃの球抜用開口縁９８は、後記する誘導切替部材１３２の誘導切替板１３２ａが過剰に上方へ回動するのを規制する回動規制部となっている。
　【００４３】
　前記切替手段１３１は、前記玉抜き用開口９７を開閉させて遊技球の誘導を切り替えるものであって、誘導切替部材１３２と誘導切替ロック部材１３６と、誘導切替操作レバー１３３とより構成される。誘導切替部材１３２は、前記球抜用開口９７を下から塞ぐことのできる大きさの誘導切替板１３２ａと、該誘導切替板１３２の回動軸から下方に垂下しケースレール１３０外へ突出するおもり部１３２ｂとよりなる。この誘導切替部材１３２は、前記球抜用開口９７付近におけるケースレール本体１３０ａとケースレール本体カバー１３０ｄ間に誘導切替板１３２ａ側を上下回動可能にして軸着され、おもり部１３２ｂの重みで誘導切替板１３２ａ側が自然に上方へ回動して前記回動規制部としての球抜き用開口縁９８に下方から当たるようにされている。そして、前記誘導切替板１３２ａが球抜き用開口縁９８に当たることによって、さらなる上方回動が規制されるとともに、前記球抜用開口９７を塞ぐようになっている。また前記誘導切替板１３２ａの下方回動により、球抜用開口９７を開放できるようになっている。なお、前記おもり部１３２ｂの下面には誘導切替ロック部材１３６と係合する係合突条１３２ｃが形成されている。
　【００４４】
　誘導切替ロック部材１３６は、前記誘導切替板１３２ａの自由な下方回動を阻止するとともに球抜き時に誘導切替板１３２ａの下方回動を可能にするものである。この実施例の誘導切替ロック部材１３６は、ケースレール本体１３０ａとケースレール本体カバー１３０ｄ間に上下回動可能に軸着された上下回動可能な部材とされ、該部材１３６の上面には前記おもり部１３２ｂの係合突条１３２ｃと解除可能に係合する係合爪１３６ａが形成され、また該部材１３６の下面にはケースレール１３０の外面と接触してこの誘導切替ロック部材１３６の係合爪１３６ａ側を上向きに付勢するバネ片１３６ｂが形成されている。前記係合爪１３６ａは、前記誘導切替板１３２ａが球抜用開口９７を塞いだ状態となっているときに、前記おもり部１３２ｂ下面の係合突条１３２ｃと係合して、前記誘導切替板１３２ａの下方回動を阻止する。また、前記バネ片１３６ｂに抗する誘導切替部材１３２の下方回動によって係合爪１３６ａが係合突条１３２ｃから離れ、前記おもり部１３２ｂの上方回動、すなわち誘導切替板１３２ａの下方回動を可能にする。
　【００４５】
　誘導切替操作レバー１３３は、前記誘導切替部材１３２を下方回動させるためのものであって、前記誘導切替ロック部材１３６の回動軸から離れる端部１３６ｃ付近と係合する係合ピン１３３ａが横方向に突出して形成された構造からなり、前記ケースレール１３０外面に軸着されて誘導切替ロック部材１３６へ向かう横方向に回動可能とされている。前記誘導切替操作レバー１３３を誘導切替ロック部材１３６側へ回動させると、前記係合ピン１３３ａが下方へ回動して前記誘導切替ロック部材１３６を下方へ押し、それによって誘導切替ロック部材１３６が下方回動して前記係合爪１３６ａと係合突条１３２ｃの係合を解除する。符号１３３ｂは回動軸着用筒部であり、前記ケースレール本体１３０ａ外面のボス１３５に回動可能に嵌合する。
　【００４６】
　球抜き時、前記のように誘導切替操作レバー１３３を誘導切替ロック部材１３６側へ回動させて、誘導切替ロック部材１３６の係合爪１３６ａと切替操作部材１３２の係合突条１３２ｃとの係合を解除すると、前記誘導切替板１３２ａ上に位置する遊技球の重さによって誘導切替板１３２ａが下方へ回動して球抜き用開口９７が開放され、前記誘導切替部９６より上流の遊技球が球抜き用開口９７から球抜樋１３４へ誘導されて遊技機１外へ強制的に排出される。
　【００４７】
　このとき、遊技機１内における前記誘導切替部９６（この例では球抜き用開口９７）から賞球払出手段（ここでは賞球払出装置１４０）の球停止位置（残存遊技球中における最下流の遊技球停止位置）までの間Ｌには、まだ遊技球が残存しており、この残存遊技球を遊技機外へ排出する必要がある。そのため、この発明の遊技機１では、前記誘導切替部９６から賞球払出装置１４０の球停止位置までの間Ｌは、単位賞品球数の整数倍の残存遊技球が残るように、誘導樋９５の長さ及び径、賞球払出装置１４０の遊技球通路１５１の長さ及び径、賞球ストッパー１４７の設置位置等が決定されている。この実施例では、大入賞口１５を球抜きのための特定入賞口としており、大入賞口１５（特定入賞口）に入賞があった際の単位賞品球数の２倍数、具体的には２８球の遊技球が残存遊技球として遊技機内のＬ間に残るようにされている。
　【００４８】
　このように、残存遊技球数が大入賞口１５への入賞に対する単位賞品球数の整数倍のみとなっているため、従来から行っているように入賞口に遊技球を強制的に入賞させて賞球払出装置１４０を作動させることによって残存遊技球を排出する際に、大入賞口１５に遊技球を入賞させていけば、球不足によるエラーが発生せずに全ての残存遊技球を抜き取ることができる。また、この実施例の大入賞口１５のように、残存遊技球を排出する際に遊技球を入賞させる入賞口を特定入賞口として設定しておけば、遊技盤３の入賞口毎に異なる単位賞品球数が設定されていても、特定入賞口に入賞させることにより残存遊技球を間違いなく完全に、かつ効率的に排出することができる。さらに、この実施例では、特定入賞口となる大入賞口１５に対する単位賞品球数の２倍数が残存遊技球数として設定されているため、大入賞口１５に遊技球を２回だけ入賞させれば全ての残存遊技球を排出することができ、何回も遊技球を入賞させる手間が省けるという利点もある。
　【００４９】
　なお、この実施例では、残存遊技球数は大入賞口１５への入賞に対する単位賞品球数の２倍であったが、これに限るものではなく、他の整数倍であってもよい。例えば、前記単位賞品球数の１倍とすれば、大入賞口１５に遊技球を１回だけ入賞させれば全ての残存遊技球を排出することができる。また、残存遊技球数は大入賞口以外の何れかの入賞口の単位賞品球数の整数倍であってもよい。そのとき、球抜きに利用される当該入賞口を特定入賞口として、マークをつける等して他の入賞口と区別できるようにしておくのが好ましい。
　【００５０】
　さらに、残存遊技球数が、前記複数の入賞口において、入賞口毎に設定された２以上又は全部の単位賞品球数の最小公倍数となるようにされていてもよい。このようにしておけば、球抜き時にどの入賞口に遊技球を入賞させても、球不足によるエラーを発生することなく遊技球を完全に排出することができるので、球抜き作業に利用する入賞口がどれであるか迷う必要がない。また、前記最小公倍数であれば、球抜き時に遊技球を入賞させる回数も抑えることができ、迅速に遊技球の排出を行うことができる。
　【００５１】
　なお、残存遊技球数が前記したような単位賞品球数の１倍数又は最小公倍数でなく、単位賞品球数の２倍以上の整数倍、又は単位賞品球数の最小公倍数の２倍以上の整数倍のみとなるようにされていてもよい。このときには、遊技者が遊技を行っている際に、多くの遊技球を遊技機内の誘導樋や賞球払出手段に貯留しておくことができるという利点がある。
　【００５２】
　また、前記誘導切替手段１３１による球抜樋１３４への遊技球の誘導後は、誘導切替部９６と貸球払出装置１６０の球停止位置（球貸スクリューの内部等における遊技球の最下流停止位置）間にも遊技球が残存しているが、この残存遊技球の排出についても、前記賞球払出装置１４０の場合のように、１回の球貸動作で払い出される遊技球数（単位貸球数）の整数倍が残存遊技球数となるようにしておけば、外部払出指令装置等から球貸条件成立のダミー信号を送って単位貸球数ずつ残存遊技球を排出する際などに、球不足によるエラーが発生せず、さらに効率的に遊技球を排出させることができる。
　【００５３】
　また、この実施例では、前記賞球払出装置１４０における払出及び払出停止を、前記賞球ソレノイド１４２による賞球ストッパー１４７の回動によって行っているが、この発明はそれに限るものではない。例えば、この実施例における前記球貸払出装置１６０に用いた球貸スクリュー１６２と同様のスクリュー機構を用いて賞球払出装置の払出及び払出停止を行うようにしてもよい。その場合でも、前記球停止位置は残存遊技球中の最下流に位置する遊技球の停止位置である。
　【００５４】
　また、この実施例では、賞球払出装置と貸球払出装置はそれぞれ別々に設けられていたが、これに限るものではない。例えば、賞球払出装置（賞球払出手段）が貸球払出装置を兼ねており、前記したような球貸条件が成立した場合には、賞球払出手段より遊技球を貸し出す（払い出す）ようになっていてもよい。
　【００５５】
　【発明の効果】
　以上図示し説明したように、請求項１に係る弾球遊技機によれば、遊技機メーカーにおける検査（特に払出装置動作検査）終了後や遊技店による故障メンテナンス時等で、遊技機内の遊技球を全て抜き出す必要がある場合において、遊技球の誘導切り替えによって誘導切替部より上流の遊技球が排出された後に、誘導切替部から賞球払出手段の球停止位置までの間に残存する残存遊技球が、
複数の入賞口のうち予め決定された特定入賞口に対する単位賞品球数の整数倍のみとなるように前記誘導切替部より下流側の誘導樋長さ及び径、遊技球通路の長さ及び径、並びに前記球停止位置の設置位置が決定されているため、作業者が残存遊技球の抜き取りに際して、入賞口を間違える可能性が低くなるとともに、
　【００５６】
　【００５７】
　さらに、請求項
２
　【００５８】
　また、請求項
３
　【００５９】
　さらに、請求項
４
誘導切替部より下流側の誘導樋長さ及び径、遊技球通路の長さ及び径、並びに球停止位置の設置位置が決定され
　【００６０】
　さらに、請求項
５
　【００６１】
　また、請求項
６
　【００６２】
　加えて、請求項
７
【図面の簡単な説明】
　【図１】
　本発明の一実施例に係る遊技機全体の正面図である。
　【図２】
　同遊技機の遊技盤の正面図である。
　【図３】
　同遊技機の遊技盤の裏面図である。
　【図４】
　同遊技機の制御系を簡略に示すブロック図である。
　【図５】
　同遊技機全体の裏面図である。
　【図６】
　同遊技機の裏機構板を示す図である。
　【図７】
　裏機構における誘導切替部付近を示す図である。
　【図８】
　裏機構板に設けられるケースレールの分解斜視図である。
　【図９】
　誘導切り替手段の主要部斜視図である。
　【図１０】
　誘導切替手段による球抜き時を示す図である。
　【図１１】
　賞球払出装置を示す図である。
　【図１２】
　賞球払出装置の分解斜視図である。
　【図１３】
　貸球払出装置を示す図である。
　【図１４】
　貸球払出装置の分解斜視図である。
　【符号の説明】
　　　１　遊技機
　　　３　遊技盤
　　１５　大入賞口
　　９５　誘導樋
　１０１　貯留タンク
　１３１　誘導切替手段
　１３２　誘導切替部
　１３４　球抜樋
　１４０　賞球払出手段（賞球払出装置）